(57)【要約】  ユーザ端末は、複数のサービス間で同一又は異なる時間単位を用いたHybrid  Automatic  Repeat  reQuest−ACKnowledge（ＨＡＲＱ−ＡＣＫ）タイミング値と、前記時間単位のフォーマットとに基づいて、前記時間単位で利用可能な下り共有チャネルの受信用の一以上の候補機会のセットを決定する制御部と、前記候補機会のセットに基づいて決定されるコードブックを送信する送信部と、を具備する。
2020144833.tif 000002
【特許請求の範囲】
【請求項１】
複数のサービス間で同一又は異なる時間単位を用いたHybrid  Automatic  Repeat  reQuest−ACKnowledge（ＨＡＲＱ−ＡＣＫ）タイミング値と、前記時間単位のフォーマットとに基づいて、前記時間単位で利用可能な下り共有チャネルの受信用の一以上の候補機会のセットを決定する制御部と、
前記候補機会のセットに基づいて決定されるコードブックを送信する送信部と、
を具備することを特徴とするユーザ端末。
【請求項２】
前記制御部は、前記複数のサービス間で同一又は異なる時間領域リソース割り当てに基づいて、前記候補機会のセットを決定することを特徴とする請求項１に記載のユーザ端末。
【請求項３】
前記制御部は、前記複数のサービス間で個別又は共通に前記候補機会のセットを決定することを特徴とする請求項１又は請求項２に記載のユーザ端末。
【請求項４】
前記制御部は、前記候補機会のセットに基づいて、前記複数のサービス間で個別又は共通に前記コードブックを決定することを特徴とする請求項１から請求項３のいずれかに記載のユーザ端末。
【請求項５】
前記時間単位は、スロット、及び、前記スロットよりも少ないシンボル数を含む一以上の時間単位の少なくとも一つであることを特徴とする請求項１から請求項４のいずれかに記載のユーザ端末。
【請求項６】
複数のサービス間で同一又は異なる時間単位を用いたHybrid  Automatic  Repeat  reQuest−ACKnowledge（ＨＡＲＱ−ＡＣＫ）タイミング値と、前記時間単位のフォーマットとに基づいて、前記時間単位で利用可能な下り共有チャネルの受信用の一以上の候補機会のセットを決定する工程と、
前記候補機会のセットに基づいて決定されるコードブックを送信する工程と、
を有することを特徴とするユーザ端末の無線通信方法。
【発明の詳細な説明】
【技術分野】
【０００１】
本開示は、次世代移動通信システムにおけるユーザ端末及び無線通信方法に関する。
【背景技術】
【０００２】
Universal  Mobile  Telecommunications  System（ＵＭＴＳ）ネットワークにおいて、更なる高速データレート、低遅延などを目的としてLong  Term  Evolution（ＬＴＥ）が仕様化された（非特許文献１）。また、ＬＴＥ（Third  Generation  Partnership  Project（３ＧＰＰ）  Release（Ｒｅｌ．）８、９）の更なる大容量、高度化などを目的として、ＬＴＥ−Ａｄｖａｎｃｅｄ（３ＧＰＰ  Ｒｅｌ．１０−１４）が仕様化された。【０００３】
ＬＴＥの後継システム（例えば、5th  generation  mobile  communication  system（５Ｇ）、５Ｇ＋（plus）、New  Radio（ＮＲ）、３ＧＰＰ  Ｒｅｌ．１５以降などともいう）も検討されている。【０００４】
既存のＬＴＥシステム（例えば、３ＧＰＰ  Ｒｅｌ．８−１４）では、ユーザ端末（User  Equipment（ＵＥ））は、ＵＬデータチャネル（例えば、Physical  Uplink  Shared  Channel（ＰＵＳＣＨ））及びＵＬ制御チャネル（例えば、Physical  Uplink  Control  Channel（ＰＵＣＣＨ））の少なくとも一方を用いて、上り制御情報（Uplink  Control  Information（ＵＣＩ））を送信する。
【先行技術文献】
【非特許文献】
【０００５】
【非特許文献１】3GPP  TS  36.300  V8.12.0  “Evolved  Universal  Terrestrial  Radio  Access  (E-UTRA)  and  Evolved  Universal  Terrｓestrial  Radio  Access  Network  (E-UTRAN);  Overall  description;  Stage  2  (Release  8)”、２０１０年４月
【発明の概要】
【発明が解決しようとする課題】
【０００６】
将来の無線通信システム（以下、ＮＲという）では、ＤＬ信号（例えば、ＰＤＳＣＨ）に対する送達確認情報（Hybrid  Automatic  Repeat  reQuest−ACKnowledgement（ＨＡＲＱ−ＡＣＫ）、ACKnowledgement／Non-ACKnowledgement（ＡＣＫ／ＮＡＣＫ）、又は、Ａ／Ｎ等ともいう）の送信タイミングを示す値（ＨＡＲＱ−ＡＣＫタイミング値等ともいう）を、上位レイヤパラメータ及び下り制御情報（Downlink  Control  Information（ＤＣＩ））の少なくとも一つを利用してユーザ端末（User  Equipment（ＵＥ））に指定することが想定される。【０００７】
また、ＮＲでは、ＵＥは、ＨＡＲＱ−ＡＣＫタイミング値に基づいて、所定のＨＡＲＱ−ＡＣＫビットを含むコードブック（ＨＡＲＱ−ＡＣＫコードブック、ＨＡＲＱコードブック等ともいう）を決定して、当該コードブックを基地局にフィードバックすることが検討されている。したがって、ＵＥが、当該コードブックの決定及びフィードバックの少なくとも一つを適切に制御可能とすることが望まれる。【０００８】
そこで、本開示は、ＨＡＲＱ−ＡＣＫコードブックの決定及びフィードバックの少なくとも一つを適切に制御可能なユーザ端末及び無線通信方法を提供することを目的の１つとする。
【課題を解決するための手段】
【０００９】
本開示の一態様に係るユーザ端末は、複数のサービス間で同一又は異なる時間単位を用いたHybrid  Automatic  Repeat  reQuest−ACKnowledge（ＨＡＲＱ−ＡＣＫ）タイミング値と、前記時間単位のフォーマットとに基づいて、前記時間単位で利用可能な下り共有チャネルの受信用の一以上の候補機会のセットを決定する制御部と、前記候補機会のセットに基づいて決定されるコードブックを送信する送信部と、を具備することを特徴とする。
【発明の効果】
【００１０】
本開示の一態様によれば、ＨＡＲＱ−ＡＣＫコードブックの決定及びフィードバックの少なくとも一つを適切に制御できる。
【図面の簡単な説明】
【００１１】
【図１】図１Ａ〜１Ｃは、スロットレベルのＨＡＲＱ−ＡＣＫタイミング値の一例を示す図である。
【図２】図２は、スロットレベルの準静的コードブック決定動作の第１の例を示す図である。
【図３】図３は、スロットレベルの準静的コードブック決定動作の第２の例を示す図である。
【図４】図４は、スロットレベルの準静的コードブック決定動作の第３の例を示す図である。
【図５】図５Ａ〜５Ｂは、第１の態様に係るサブスロットレベルのＨＡＲＱ−ＡＣＫタイミング値の一例を示す図である。
【図６】図６Ａ〜６Ｃは、第１の態様に係るＰＤＳＣＨ時間領域ＲＡテーブルのサブテーブルの一例を示す図である。
【図７】図７は、第１の態様に係るサブスロットレベルの準静的コードブック決定動作の第１の例を示す図である。
【図８】図８は、第１の態様に係るサブスロットレベルの準静的コードブック決定動作の第２の例を示す図である。
【図９】図９は、第１の態様に係るサブスロットレベルの準静的コードブック決定動作の第３の例を示す図である。
【図１０】図１０は、第２の態様の前提条件に係るスロットの一例を示す図である。
【図１１】図１１は、第２の態様の第１の方法に係るスロットレベルの準静的ＨＡＲＱ−ＡＣＫコードブック決定動作の一例を示す図である。
【図１２】図１２は、第２の態様の第１の方法に係るサブスロットレベルの準静的ＨＡＲＱ−ＡＣＫコードブック決定動作の一例を示す図である。
【図１３】図１３Ａ及び１３Ｂは、第２の態様の第２の方法に係るサービス毎のＰＤＳＣＨ時間領域ＲＡの一例を示す図である。
【図１４】図１４は、第２の態様の第２の方法に係るスロットレベルのＨＡＲＱ−ＡＣＫタイミング値Ｋ１に基づいて決定されるサービス毎の候補ＰＤＳＣＨ受信機会のセットの一例を示す図である。
【図１５】図１５は、第２の態様の第２の方法に係るスロットレベルの準静的ＨＡＲＱ−ＡＣＫコードブック決定動作の一例を示す図である。
【図１６】図１６は、サブスロットレベルのＨＡＲＱ−ＡＣＫタイミング値Ｋ１に基づいて決定されるサービス毎の候補ＰＤＳＣＨ受信機会のセットの一例を示す図である。
【図１７】図１７は、第２の態様の第２の方法に係るサブスロットレベルの準静的ＨＡＲＱ−ＡＣＫコードブック決定動作の一例を示す図である。
【図１８】図１８は、第２の態様の第３の方法に係るサービス毎の候補ＰＤＳＣＨ受信機会のセットの一例を示す図である。
【図１９】図１９は、第２の態様の第３の方法に係るｅＭＢＢ用準静的ＨＡＲＱ−ＡＣＫコードブック決定動作の一例を示す図である。
【図２０】図２０は、第２の態様の第３の方法に係るＵＲＬＬＣ用準静的ＨＡＲＱ−ＡＣＫコードブック決定動作の一例を示す図である。
【図２１】図２１は、第２の態様のオプション１に係る共通ＨＡＲＱ−ＡＣＫコードブックの一例を示す図である。
【図２２】図２２は、第２の態様のオプション１に係る共通ＨＡＲＱ−ＡＣＫコードブックの他の例を示す図である。
【図２３】図２３は、一実施形態に係る無線通信システムの概略構成の一例を示す図である。
【図２４】図２４は、一実施形態に係る基地局の構成の一例を示す図である。
【図２５】図２５は、一実施形態に係るユーザ端末の構成の一例を示す図である。
【図２６】図２６は、一実施形態に係る基地局及びユーザ端末のハードウェア構成の一例を示す図である。
【発明を実施するための形態】
【００１２】
ＮＲでは、ユーザ端末（ＵＥ：User  Equipment）は、下り共有チャネル（Physical  Downlink  Shared  Channel（ＰＤＳＣＨ）等ともいう）に対する送達確認情報（Hybrid  Automatic  Repeat  reQuest−ACKnowledge（ＨＡＲＱ−ＡＣＫ）、ACKnowledge／Non-ACK（ＡＣＫ／ＮＡＣＫ）、ＨＡＲＱ−ＡＣＫ情報又は、Ａ／Ｎ等ともいう）をフィードバック（報告（report）又は送信等ともいう）するメカニズムが検討されている。
【００１３】
例えば、ＮＲでは、ＰＤＳＣＨのスケジューリングに用いられるＤＣＩ（例えば、ＤＣＩフォーマット１＿０又は１＿１）内の所定フィールドの値が、当該ＰＤＳＣＨに対するＨＡＲＱ−ＡＣＫのフィードバックタイミングを示す。ＵＥがスロット＃ｎで受信するＰＤＳＣＨに対するＨＡＲＱ−ＡＣＫをスロット＃ｎ＋ｋで送信する場合、当該所定フィールドの値は、ｋの値にマッピングされてもよい。当該所定フィールドは、例えば、ＰＤＳＣＨ−ＨＡＲＱフィードバックタイミング指示（PDSCH-to-HARQ_feedback  timing  indicator）フィールド等と呼ばれる。
【００１４】
また、ＮＲでは、ＰＤＳＣＨのスケジューリングに用いられるＤＣＩ（例えば、ＤＣＩフォーマット１＿０又は１＿１）内の所定フィールドの値に基づいて、当該ＰＤＳＣＨに対するＨＡＲＱ−ＡＣＫのフィードバックに用いるＰＵＣＣＨリソースを決定する。当該所定フィールドは、例えば、ＰＵＣＣＨリソース指示（PUCCH  resource  indicator（ＰＲＩ））フィールド、ＡＣＫ／ＮＡＣＫリソース指示（ACK/NACK  resource  indicator（ＡＲＩ））フィールド等と呼ばれてもよい。当該所定フィールドの値は、ＰＲＩ、ＡＲＩ等と呼ばれてもよい。
【００１５】
当該所定フィールドの各値にマッピングされるＰＵＣＣＨリソースは、上位レイヤパラメータ（例えば、PUCCH-ResourceSet内のResourceList）によって予めＵＥに設定（configure）されてもよい。また、当該ＰＵＣＣＨリソースは、一以上のＰＵＣＣＨリソースを含むセット（ＰＵＣＣＨリソースセット）毎にＵＥに設定されてもよい。
【００１６】
また、ＮＲでは、ＵＥは、単一のスロット内で、ＨＡＲＱ−ＡＣＫ用に一つ又は複数の上り制御チャネル（Physical  Uplink  Control  Channel（ＰＵＣＣＨ））を送信可能とすることが検討されている。
【００１７】
また、ＮＲでは、一以上のＨＡＲＱ−ＡＣＫは、ＨＡＲＱ−ＡＣＫコードブックにマッピングされ、当該ＨＡＲＱ−ＡＣＫコードブックが、所定のＤＣＩ（例えば、直近の（last）ＤＣＩ）によって指示されるＰＵＣＣＨリソースで送信されてもよい。
【００１８】
ここで、ＨＡＲＱ−ＡＣＫコードブックは、時間領域（例えば、スロット）、周波数領域（例えば、コンポーネントキャリア（Component  Carrier（ＣＣ）））、空間領域（例えば、レイヤ）、トランスポートブロック（Transport  Block（ＴＢ））、及び、ＴＢを構成するコードブロックのグループ（コードブロックグループ（Code  Block  Group（ＣＢＧ）））の少なくとも一つの単位でのＨＡＲＱ−ＡＣＫ用のビットを含んで構成されてもよい。なお、ＣＣは、セル、サービングセル（serving  cell）、キャリア等とも呼ばれる。また、当該ビットは、ＨＡＲＱ−ＡＣＫビット、ＨＡＲＱ−ＡＣＫ情報又はＨＡＲＱ−ＡＣＫ情報ビット等とも呼ばれる。
【００１９】
ＨＡＲＱ−ＡＣＫコードブックは、ＰＤＳＣＨ−ＨＡＲＱ−ＡＣＫコードブック（pdsch-HARQ-ACK-Codebook）、コードブック、ＨＡＲＱコードブック、ＨＡＲＱ−ＡＣＫサイズ等とも呼ばれる。
【００２０】
ＨＡＲＱ−ＡＣＫコードブックに含まれるビット数（サイズ）等は、準静的（semi-static）又は動的に（dynamic）決定されてもよい。準静的にサイズが決定されるＨＡＲＱ−ＡＣＫコードブックは、準静的ＨＡＲＱ−ＡＣＫコードブック、タイプ−１  ＨＡＲＱ−ＡＣＫコードブック、準静的コードブック等とも呼ばれる。動的にサイズが決定されるＨＡＲＱ−ＡＣＫコードブックは、動的ＨＡＲＱ−ＡＣＫコードブック、タイプ−２  ＨＡＲＱ−ＡＣＫコードブック、動的コードブック等とも呼ばれる。
【００２１】
準静的ＨＡＲＱ−ＡＣＫコードブック又は動的ＨＡＲＱ−ＡＣＫコードブックのいずれを用いるかは、上位レイヤパラメータ（例えば、pdsch-HARQ-ACK-Codebook）によりＵＥに設定されてもよい。
【００２２】
準静的ＨＡＲＱ−ＡＣＫコードブックの場合、ＵＥは、所定範囲において、ＰＤＳＣＨのスケジューリングの有無に関係なく、当該所定範囲に対応するＨＡＲＱ−ＡＣＫビットをフィードバックしてもよい。当該所定範囲は、ＨＡＲＱ−ＡＣＫウィンドウ、ＨＡＲＱ−ＡＣＫバンドリングウィンドウ、ＨＡＲＱ−ＡＣＫフィードバックウィンドウ、バンドリングウィンドウ、フィードバックウィンドウ、等とも呼ばれる。
【００２３】
＜スロットレベルの準静的コードブック決定動作＞
スロットレベルの準静的ＨＡＲＱ−ＡＣＫコードブックは、以下のａ）〜ｄ）の少なくとも一つのパラメータに基づいて決定されてもよい：
ａ）ＨＡＲＱ−ＡＣＫのタイミングを示す値（ＨＡＲＱ−ＡＣＫタイミング値）Ｋ１、
ｂ）ＰＤＳＣＨに割り当てられる時間領域（time  domain）リソースの決定に用いられるテーブル（ＰＤＳＣＨ時間領域リソース割り当て（ＲＡ）テーブル（PDSCH  time  domain  resource  allocation  table））、
ｃ）下りと上りとで異なるサブキャリア間隔が設定される場合、下り（又は下りＢＷＰ）のサブキャリア間隔の構成μＤＬと上り（又は上りＢＷＰ）のサブキャリア間隔の構成μＵＬとの比２の（μＤＬ−μＵＬ）乗、
ｄ）セル固有のＴＤＤ  ＵＬ／ＤＬ構成（例えば、TDD-UL-DL-ConfigurationCommon）、及び、セル固有のＴＤＤ  ＵＬ／ＤＬ構成を上書きするスロット固有の構成（例えば、TDD-UL-DL-ConfigDedicated）。
【００２４】
具体的には、ＵＥは、上記少なくとも一つのパラメータに基づいて、サービングセルｃ（又は、サービングセルｃのアクティブな下りＢＷＰ及び上りＢＷＰ）において、スロットｎで送信されるＰＵＣＣＨ内でＨＡＲＱ−ＡＣＫビットを送信可能な候補ＰＤＳＣＨの受信機会ＭＡ、ｃのセットを決定してもよい。例えば、ＵＥは、以下のステップ１）２）に従って、候補ＰＤＳＣＨの受信機会ＭＡ、ｃのセットを決定してもよい。
【００２５】
ステップ１）
ＵＥは、スロットレベルのＨＡＲＱ−ＡＣＫタイミング値Ｋ１に基づいて、ＨＡＲＱ−ＡＣＫウィンドウを決定する。例えば、図１Ａでは、スロット＃ｎで送信されるＨＡＲＱ−ＡＣＫビット用のＨＡＲＱ−ＡＣＫウィンドウがスロット＃ｎ−Ｋ１（Ｋ１＝２、３、４）に決定される。ＨＡＲＱ−ＡＣＫウィンドウは、ＨＡＲＱ−ＡＣＫタイミング値Ｋ１のセットＣ（Ｋ１）のカーディナリティ（cardinality）ともいえる。例えば、図１Ａでは、Ｃ（Ｋ１）＝｛７，６，５｝である。
【００２６】
なお、一以上のＨＡＲＱ−ＡＣＫタイミング値Ｋ１を含むＣ（Ｋ１）は、ＤＣＩ内の所定フィールド値及び上位レイヤパラメータ（例えば、dl-DataToUL-ACK）の少なくとも一つに基づいて決定されてもよい。
【００２７】
ステップ２）
ＵＥは、Ｃ（Ｋ１）内のＨＡＲＱ−ＡＣＫタイミング値Ｋ１毎に、各スロット内の候補ＰＤＳＣＨの受信機会ＭＡ、ｃを決定してもよい。ＵＥは、Ｃ（Ｋ１）内のＨＡＲＱ−ＡＣＫタイミング値Ｋ１毎に下記ステップ２−１）、２−２）を繰り返して、スロット＃ｎで送信する準静的ＨＡＲＱ−ＡＣＫコードブックを決定してもよい。
【００２８】
ステップ２−１）
ＵＥは、ＰＤＳＣＨ時間領域ＲＡテーブルと、ＨＡＲＱ−ＡＣＫタイミング値Ｋ１に対応するスロット＃ｎ−Ｋ１のフォーマットとの少なくとも一つに基づいて、スロット＃ｎ−Ｋ１で利用可能な候補ＰＤＳＣＨ受信機会ＭＡ、ｃを決定してもよい。候補ＰＤＳＣＨ受信機会は、ＰＤＳＣＨの受信用の一以上の候補となる期間（機会、候補機会等ともいう）であってもよい。
【００２９】
具体的には、ＵＥは、ＰＤＳＣＨ時間領域ＲＡテーブルに基づいてスロット＃ｎ−Ｋ１の候補ＰＤＳＣＨ受信機会ＭＡ、ｃを決定し、その後、スロット＃ｎ−Ｋ１のフォーマットに基づいて当該候補ＰＤＳＣＨ受信機会ＭＡ、ｃの少なくとも一部を利用不可能として除外してもよい（或いは、スロット＃ｎ−Ｋ１のフォーマットに基づいて当該候補ＰＤＳＣＨ受信機会ＭＡ、ｃの少なくとも一部を利用可能として抽出してもよい）。
【００３０】
なお、スロット＃ｎ−Ｋ１のフォーマットは、セル固有のＴＤＤ  ＵＬ／ＤＬ構成（例えば、上記TDD-UL-DL-ConfigurationCommon）、スロット個別のＴＤＤ  ＵＬ／ＤＬ構成（例えば、TDD-UL-DL-ConfigDedicated）及びＤＣＩの少なくとも一つに基づいて、決定されてもよい。
【００３１】
ステップ２−２）
ＵＥは、ステップ２−１）で決定された候補ＰＤＳＣＨの受信機会ＭＡ、ｃに対してインデックスを付与する。ＵＥは、少なくとも一部のシンボルが重複する複数の候補ＰＤＳＣＨ受信機会ＭＡ、ｃに対しては同一のインデックス（値）を付与し、候補ＰＤＳＣＨ受信機会のインデックス（値）毎にＨＡＲＱ−ＡＣＫビットを生成してもよい。
【００３２】
以下、図１Ｂ、１Ｃ及び２〜４を参照して、ＨＡＲＱ−ＡＣＫタイミング値Ｋ１のセットＣ（Ｋ１）が、７，６，５を含む場合（図１Ａ参照）における静的ＨＡＲＱ−ＡＣＫコードブックの決定の一例を例示する。
【００３３】
図１Ｂでは、ＰＤＳＣＨ時間領域ＲＡテーブルの一例が示される。図１Ｂに示すように、ＰＤＳＣＨ時間領域ＲＡテーブルでは、例えば、行インデックス（row  index（ＲＩ））が、オフセットＫ０と、ＰＤＳＣＨが割り当てられる開始シンボルのインデックスＳと、ＰＤＳＣＨに割り当てられるシンボル数（割り当て長）Ｌと、ＰＤＳＣＨのマッピングタイプとの少なくとも一つと関連付けられてもよい。当該ＰＤＳＣＨ時間領域ＲＡテーブルの各行は、ＰＤＳＣＨに対するＰＤＳＣＨ時間領域ＲＡ（すなわち、候補ＰＤＳＣＨ受信機会）を示してもよい。
【００３４】
図１Ｃでは、図１ＢのＰＤＳＣＨ時間領域ＲＡテーブルに基づいて決定される候補ＰＤＳＣＨ受信機会ＭＡ、ｃの一例が示される。例えば、図１ＢのＰＤＳＣＨ時間領域ＲＡテーブルにおいて、ＲＩ＝０の場合、Ｋ０＝０、Ｓ＝２、Ｌ＝４であるので、ＲＩ＝０に基づいて決定される候補ＰＤＳＣＨ受信機会は、スロット＃ｎ−Ｋ１のシンボル＃２から４シンボル（すなわち、シンボル＃２〜＃５）で構成される。同様に、図１Ｃでは、ＲＩ＝１〜８に基づいて決定される候補ＰＤＳＣＨ受信機会が示される。
【００３５】
≪Ｋ１＝７の場合≫
図２では、スロット＃ｎ−Ｋ１が全て下りシンボル（Ｄ）で構成されるフォーマットである場合が示される。ＵＥは、全て下りシンボルで構成されるスロット＃ｎ−Ｋ１（例えば、図１Ａのスロット＃ｎ−７）では、ＲＩ＝０〜８それぞれに基づいて決定される全ての候補ＰＤＳＣＨ受信機会ＭＡ、ｃを利用可能である。
【００３６】
したがって、図２に示されるように、ＲＩ＝０〜８それぞれに基づいて決定される全ての候補ＰＤＳＣＨ受信機会ＭＡ、ｃが抽出され、抽出された候補ＰＤＳＣＨ受信機会ＭＡ、ｃにインデックス（識別子又はＩＤ）が与えられる。ここで、少なくとも一部のシンボルが重複（衝突する）複数の候補ＰＤＳＣＨ受信機会ＭＡ、ｃには同じインデックスが与えられてもよい。
【００３７】
例えば、図２では、ＲＩ＝０、３、４に基づいて決定される３つの候補ＰＤＳＣＨ受信機会ＭＡ、ｃの一部のシンボルが重複するので、これらの候補ＰＤＳＣＨ受信機会ＭＡ、ｃには、同一のインデックス「０」が付与される。同様に、ＲＩ＝２、７に基づいて決定される２つの候補ＰＤＳＣＨ受信機会ＭＡ、ｃの一部のシンボルが重複するので、これらの候補ＰＤＳＣＨ受信機会ＭＡ、ｃには、同一のインデックス「３」が付与される。
【００３８】
スロット＃ｎ−Ｋ１における候補ＰＤＳＣＨ受信機会ＭＡ、ｃには、異なるインデックス（値）「０」〜「４」で識別される候補ＰＤＳＣＨ受信機会が含まれる。ＵＥは、各インデックスの候補ＰＤＳＣＨ受信機会に対して、所定数（例えば、１ビット）のＨＡＲＱ−ＡＣＫビットを生成してもよい。
【００３９】
例えば、図２では、一つのＵＥは、スロット＃ｎ−Ｋ１において５つの候補ＰＤＳＣＨ受信機会ＭＡ、ｃを利用可能であるため、５ビットのＨＡＲＱ−ＡＣＫビットを含む準静的ＨＡＲＱ−ＡＣＫコードブックを生成してもよい。
【００４０】
≪Ｋ１＝６の場合≫
図３では、スロット＃ｎ−Ｋ１が下りシンボル（Ｄ）、上りシンボル（Ｕ）、ガード期間（Ｇ）を含んで構成されるフォーマットである場合が示される。例えば、図３では、スロット＃ｎ−Ｋ１（例えば、図１Ａのスロット＃ｎ−５）のシンボル＃０〜＃９が下りシンボルであり、シンボル＃１２及び＃１３が上りシンボルであり、シンボル＃１０及び＃１１がガード期間である。
【００４１】
図３に示す場合、上りシンボル＃１２及び＃１３を含む候補ＰＤＳＣＨ受信機会（例えば、ＲＩ＝２、３、８に基づいて決定される候補ＰＤＳＣＨ受信機会）は、スロット＃ｎ−Ｋ１で利用できない。上りシンボル＃１２及び＃１３では、ＵＥは、ＰＤＳＣＨを受信できないためである。
【００４２】
したがって、図３に示されるように、ＲＩ＝２、３、８に基づいて決定される候補ＰＤＳＣＨ受信機会を除いた、ＲＩ＝０、１、４〜７それぞれに基づいて決定される全ての候補ＰＤＳＣＨ受信機会ＭＡ、ｃが抽出され、抽出された候補ＰＤＳＣＨ受信機会ＭＡ、ｃにインデックス（識別子又はＩＤ）が与えられる。
【００４３】
なお、当該インデックスは、ＨＡＲＱ−ＡＣＫタイミング値Ｋ１のセットＣ（Ｋ１）内で通番に付与されてもよい。例えば、図２で説明したように、Ｋ１＝７の場合、スロット＃ｎ−Ｋ１内の候補ＰＤＳＣＨ受信機会ＭＡ、ｃには、インデックス「０」〜「４」が付与される。このため、図３に示すＫ１＝６の場合、スロット＃ｎ−Ｋ１内の候補ＰＤＳＣＨ受信機会ＭＡ、ｃには、後続のインデックス「５」〜「８」が付与されてもよい。
【００４４】
また、上述のように、少なくとも一部のシンボルが重複（衝突する）複数の候補ＰＤＳＣＨ受信機会ＭＡ、ｃには同じインデックスが与えられてもよい。例えば、図３では、ＲＩ＝０、４に基づいて決定される２つの候補ＰＤＳＣＨ受信機会ＭＡ、ｃの一部のシンボルが重複するので、これらの候補ＰＤＳＣＨ受信機会ＭＡ、ｃには、同一のインデックス「５」が付与される。同様に、ＲＩ＝１、５に基づいて決定される２つの候補ＰＤＳＣＨ受信機会ＭＡ、ｃには、同一のインデックス「６」が付与される。
【００４５】
このように、ＵＥは、スロット＃ｎ−Ｋ１（Ｋ１＝７、６）における候補ＰＤＳＣＨ受信機会ＭＡ、ｃに対応する準静的ＨＡＲＱ−ＡＣＫコードブックは、異なるインデックス（値）「０」〜「８」で識別される候補ＰＤＳＣＨ受信機会に対応する所定数（例えば、９ビット）のＨＡＲＱ−ＡＣＫビットを含んでもよい。
【００４６】
≪Ｋ１＝５の場合≫
図４では、スロット＃ｎ−Ｋ１が全て上りシンボル（Ｕ）で構成されるフォーマットである場合が示される。例えば、図４では、スロット＃ｎ−Ｋ１（例えば、図１Ａのスロット＃ｎ−５）の全シンボル＃０〜＃１３が上りシンボルである。
【００４７】
図４に示す場合、ＲＩ＝０〜８に基づいて決定される全候補ＰＤＳＣＨ受信機会は、スロット＃ｎ−Ｋ１で利用できない。したがって、図４に示されるように、スロット＃ｎ−Ｋ１で利用可能な候補ＰＤＳＣＨ受信機会は抽出されなくともよい。この場合、図４に示すスロット＃ｎ−Ｋ１（Ｋ１＝５）に対応するＨＡＲＱ−ＡＣＫビットは、Ｃ（Ｋ１）＝７、６、５に対応する準静的ＨＡＲＱ−ＡＣＫコードブックに含まれなくともよい。
【００４８】
以上のように、準静的ＨＡＲＱ−ＡＣＫコードブックは、スロットレベルのＨＡＲＱ−ＡＣＫタイミング値Ｋ１に基づいて決定することが検討されている。一方で、ＮＲでは、超高信頼及び低遅延のサービス（例えば、Ultra  Reliable  and  Low  Latency  Communications（ＵＲＬＬＣ）に関連する（related）サービス（ＵＲＬＬＣサービス））の要求条件を満たすため、スロットより短い（finer）時間単位（time  unit）を用いたＨＡＲＱ−ＡＣＫタイミング値Ｋ１をサポート（導入）することも検討されている。
【００４９】
しかしながら、スロットより短い時間単位を用いたＨＡＲＱ−ＡＣＫタイミング値Ｋ１を導入する場合、準静的ＨＡＲＱ−ＡＣＫコードブックをどのように決定（構成（construct）又は生成（generate））するかが問題となる。そこで、本発明者らは、スロットより短い時間単位を用いたＨＡＲＱ−ＡＣＫタイミング値Ｋ１に基づいて準静的ＨＡＲＱ−ＡＣＫコードブックを適切に決定する方法（第１の態様）を検討し、本発明に至った。
【００５０】
また、ＮＲでは、要求条件の異なる複数のサービス（例えば、ＵＲＬＬＣサービス及び高速及び大容量のサービス（例えば、enhanced  Mobile  Broad  Band（ｅＭＢＢ）に関連するサービス（ｅＭＢＢサービス）））を同一のＵＥがサポートすることも想定される。
【００５１】
しかしながら、同一のＵＥが複数のサービスをサポートする場合、準静的ＨＡＲＱ−ＡＣＫコードブックの決定（構成又は生成）及びフィードバックの少なくとも一つをどのように制御するかも問題となる。そこで、本発明者らは、複数のサービスをサポートするＵＥが準静的ＨＡＲＱ−ＡＣＫコードブックを決定及びフィードバックの少なくとも一つを適切に制御する方法（第２の態様）を検討し、本発明に至った。
【００５２】
以下、本開示に係る実施形態について、図面を参照して詳細に説明する。
【００５３】
なお、以下では、単一のＰＤＳＣＨによって単一のトランスポートブロック（Transport  Block（ＴＢ））（コードワード（Code  word（ＣＷ））等ともいう）が伝送される場合を想定するが、本実施形態は、単一のＰＤＳＣＨによって複数のＴＢが伝送される場合にも適宜適用可能である。
【００５４】
また、以下では、単一のＴＢに対して単一のＨＡＲＱ−ＡＣＫビットが生成される場合を想定するが、本実施形態は、単一のコードブロックグループ（Code  Block  Group（ＣＢＧ））に対して単一のＨＡＲＱ−ＡＣＫビットが生成される場合にも適宜適用可能である。１ＴＢは一以上のコードブロック（Code  Block（ＣＢ））に分割（segment）される。１ＴＢは一以上のＣＢＧを含み、１ＣＢＧは一以上のＣＢを含んでもよい。
【００５５】
（第１の態様）
スロットよりも短い時間単位レベルのＨＡＲＱ−ＡＣＫタイミング値に基づく準静的コードブック決定について説明する。
【００５６】
第１の態様では、例えば、ＵＥが、特定のサービス（例えば、ＵＲＬＬＣサービス）をサポートし、他のサービス（例えば、ｅＭＢＢサービス）しない場合を想定するが、これに限られない。第１の態様は、ＵＥが、双方のサービスをサポートするが、特定のサービス（例えば、ＵＲＬＬＣサービス）以外のサービス（例えば、ｅＭＢＢサービス）をアクティブ化していない場合や、異なる複数のサービスを、共通の無線インターフェースで収容する場合等にも適用可能である。
【００５７】
＜前提条件＞
第１の態様では、ＵＥは、スロットより短い（スロットより少ないシンボル数で構成される）時間単位を用いたＨＡＲＱ−ＡＣＫタイミング値Ｋ１をサポートする。当該時間単位は、ハーフスロット、サブスロット又はミニスロット等と呼ばれ、所定数のシンボル（例えば、２、３、４又は７シンボル）で構成されてもよい。
【００５８】
図５Ａでは、スロットより短い時間単位の一例が示される。図５Ａに示すように、ハーフスロットは７シンボルで構成され、１スロット内に２ハーフスロットが含まれてもよい。なお、ハーフスロットは、７シンボルのサブスロットと言い換えられてもよい。
【００５９】
また、サブスロットは、３又は４シンボルで構成され、１スロット内に４サブスロットが含まれてもよい。或いは、サブスロットは、２シンボルで構成され、１スロット内に７サブスロットが含まれてもよい。なお、ハーフスロットは、７シンボルのサブスロットと呼ばれてもよい。
【００６０】
ＨＡＲＱ−ＡＣＫタイミング値Ｋ１の粒度（granularity）（例えば、図５Ａのスロット、ハーフスロット（７シンボルのサブスロット）、３／４シンボルのサブスロット、２シンボルのサブスロットのいずれか）は、上位レイヤパラメータ及びＤＣＩの少なくとも一つを用いてＵＥに通知（inform）されてもよい。例えば、ＵＥは、（１）ＳＩＢ又は（２）ＵＥ個別のＲＲＣパラメータ（個別ＲＲＣ）に基づいて、ＨＡＲＱ−ＡＣＫタイミング値Ｋ１の粒度を決定してもよい。
【００６１】
（１）ＳＩＢを用いる場合
例えば、ＨＡＲＱ−ＡＣＫタイミング値Ｋ１の粒度は、ＳＩＢ内の所定パラメータによって設定（configure）されてもよい。この場合、スロットより短いＨＡＲＱ−ＡＣＫタイミング値Ｋ１の粒度をサポートしないＵＥ（すなわち、スロットレベルのＨＡＲＱ−ＡＣＫタイミング値Ｋ１だけをサポートするＵＥ）は、当該ＳＩＢが伝送されるセルにアクセスできない。
【００６２】
また、初期アクセスでは、ＨＡＲＱ−ＡＣＫタイミング値Ｋ１の粒度に基づいて、ランダムアクセスチャネル（Physical  Random  Access  Channel（ＰＲＡＣＨ））用のリソース（ＰＲＡＣＨリソース）が分類されてもよい。
【００６３】
例えば、スロットレベルのＨＡＲＱ−ＡＣＫタイミング値Ｋ１だけをサポートするＵＥと、スロットよりも短い時間単位のＨＡＲＱ−ＡＣＫタイミング値Ｋ１をサポートするＵＥとは、それぞれ、異なるＰＲＡＣＨリソース用プールを利用してもよい。
【００６４】
このように、ＰＲＡＣＨリソースを分けることにより、基地局は、ランダムアクセス手順における衝突解決（contention  resolution）メッセージ（メッセージ４）に対するＨＡＲＱ−ＡＣＫ（初回のＨＡＲＱ−ＡＣＫ）送信前に、ＵＥがスロットよりも短い時間単位（例えば、上記ハーフスロット又は上記サブスロット）のＨＡＲＱ−ＡＣＫタイミング値Ｋ１をサポートか否かを認識できる。
【００６５】
（２）個別ＲＲＣを用いる場合
或いは、ＨＡＲＱ−ＡＣＫタイミング値Ｋ１の粒度は、ＵＥ個別のＲＲＣパラメータによって設定（configure）されてもよい。この場合、ＵＥは、スロットより短いＨＡＲＱ−ＡＣＫタイミング値Ｋ１をサポートすることを示す情報（能力情報（capability  information））を基地局に送信してもよい。
【００６６】
また、ＵＥは、当該基地局から当該ＨＡＲＱ−ＡＣＫタイミング値Ｋ１の粒度（例えば、ハーフスロット、３／４シンボルのサブスロット又は２シンボルのサブスロットのいずれか等）を示す情報を受信して、スロットより短いＨＡＲＱ−ＡＣＫタイミング値Ｋ１を設定されてもよい。
【００６７】
図５Ｂでは、スロットより短いＨＡＲＱ−ＡＣＫタイミング値Ｋ１の粒度の一例が示される。図５Ｂでは、当該粒度が７シンボルのサブスロット（ハーフスロット）であるものとするが、これに限られない。当該粒度は、上述のように、３／４シンボルのサブスロット又は２シンボルのサブスロット等であってもよい。
【００６８】
なお、以下において、「サブスロット」とは、７シンボルのサブスロット（ハーフスロット）、３／４シンボルのサブスロット又は２シンボルのサブスロットを総称するものとする。
【００６９】
また、図５Ｂでは、サブスロットレベルのＨＡＲＱ−ＡＣＫタイミング値Ｋ１のセットＣ（Ｋ１）が３、２、１を含むものとする。図５Ｂに示すように、サブスロット＃ｎのＰＵＣＣＨを用いてＨＡＲＱ−ＡＣＫを送信する場合、ＨＡＲＱ−ＡＣＫウィンドウは、サブスロット＃ｎ−Ｋ１（Ｋ１＝３、２、１）で構成されてもよい。
【００７０】
このようなスロットより短いＨＡＲＱ−ＡＣＫタイミング値Ｋ１の粒度は、単一のスロット内におけるＨＡＲＱ−ＡＣＫ用の複数のＰＵＣＣＨ送信を可能としてもよい。
【００７１】
第１の態様において、サブスロットレベルの動作は、ＨＡＲＱ−ＡＣＫタイミング値Ｋ１だけでなく、以下の少なくとも一つにも適用されてもよい：
・ＰＵＳＣＨの送信タイミング値（上りグラントに対するスロットオフセット）Ｋ２の粒度、
・ＰＵＳＣＨに割り当てられる時間領域リソースの決定に用いられるテーブル（ＰＵＳＣＨ時間領域リソース割り当て（ＲＡ）テーブル、
・ＨＡＲＱ−ＡＣＫコードブックの構成、
・ＰＤＳＣＨ又はＰＵＳＣＨの繰り返し（repetition）、
・ＰＤＣＣＨのブラインド復号回数、又は、ＰＤＣＣＨを構成する制御チャネル要素（Control  Channel  Element（ＣＣＥ））数のカウント。
【００７２】
例えば、ＰＵＳＣＨ時間領域ＲＡテーブル内の開始シンボルＳ、時間長Ｌ、開始及び時間長の識別子ＳＬＩＶの少なくとも一つは、スロットより短い時間単位（例えば、ハーフスロット又はサブスロット）を基準に規定されてもよい。例えば、サブスロット長をLmax（例えば7）とし、ＳＬＩＶは、（Ｌ−１）＜＝Ｆｌｏｏｒ（Ｌｍａｘ／２）または（Ｌ−１）＞＝Ｃｅｉｌ（Ｌｍａｘ／２）の場合はＬｍａｘ（Ｌ−１）＋Ｓ、そうでない場合はＬｍａｘ（Ｌｍａｘ−Ｌ＋１４）＋（１４−１−Ｓ）で与えられるものとしてもよい。端末は、あたえられたサブスロット長Ｌｍａｘと、ＳＬＩＶの値から、サブスロット内におけるＰＵＳＣＨの開始シンボルＳと時間長Ｌを識別することができる。
【００７３】
また、ＨＡＲＱ−ＡＣＫコードブックは、サブスロット内で一つまでであってもよい（すなわち、１スロットに対しては１より多いＨＡＲＱ−ＡＣＫコードブックが決定されてもよい）。
【００７４】
また、ＰＤＳＣＨ又はＰＵＳＣＨは、サブスロットを基準に繰り替えされてもよい。例えば、複数のサブスロット内で同じ時間リソース割り当てに基づいて、ＰＤＳＣＨ又はＰＵＳＣＨが繰り返して送信されてもよい。
【００７５】
また、ＰＤＣＣＨのブラインド復号回数又はＰＤＣＣＨを構成するＣＣＥ数は、サブスロットを基準にカウントされてもよい。
【００７６】
＜サブスロットレベルの準静的ＨＡＲＱ−ＡＣＫコードブック決定動作＞
第１の態様では、サブスロットレベルのＨＡＲＱ−ＡＣＫタイミング値Ｋ１の粒度に基づく準静的ＨＡＲＱ−ＡＣＫコードブックの決定について説明する。
【００７７】
第１の態様において、ＵＥは、サブスロットレベルのＨＡＲＱ−ＡＣＫタイミング値Ｋ１に基づいて準静的ＨＡＲＱ−ＡＣＫコードブックを決定する場合、スロットレベルのＨＡＲＱ−ＡＣＫタイミング値Ｋ１に基づいて準静的ＨＡＲＱ−ＡＣＫコードブックを決定する場合と同様に、上記ａ）〜ｄ）の少なくとも一つのパラメータを用いてもよい。また、ＵＥは、以下のステップ１）〜３）に従って、候補ＰＤＳＣＨの受信機会ＭＡ、ｃのセットを決定してもよい。
【００７８】
ステップ１）
ＵＥは、サブスロットレベルのＨＡＲＱ−ＡＣＫタイミング値Ｋ１に基づいて、ＨＡＲＱ−ＡＣＫウィンドウを決定する。例えば、図５Ｂでは、サブスロット＃ｎで送信されるＨＡＲＱ−ＡＣＫビット用のＨＡＲＱ−ＡＣＫウィンドウがサブスロット＃ｎ−３、＃ｎ−２、＃ｎ−１に決定される。ＨＡＲＱ−ＡＣＫウィンドウは、ＨＡＲＱ−ＡＣＫタイミング値Ｋ１のセットＣ（Ｋ１）（のカーディナリティ）ともいえる。例えば、図５Ｂでは、Ｃ（Ｋ１）＝｛３，２，１｝である。
【００７９】
ステップ２）
ＰＤＳＣＨ時間領域ＲＡテーブル（図１Ｂ参照）は、ＨＡＲＱ−ＡＣＫタイミング値Ｋ１の粒度に基づいて、複数のサブテーブルに分割されてもよい。サブテーブルの数は、スロットの期間（スロット内のシンボル数）及びＨＡＲＱ−ＡＣＫタイミング値Ｋ１の粒度に対応する期間（サブスロット内のシンボル数）に基づいて決定されてもよい。例えば、サブテーブルの数は、スロット内のシンボル数をサブスロット内のシンボル数で除算した結果を床関数又は天井関数で丸めた値であってもよい。
【００８０】
例えば、ＨＡＲＱ−ＡＣＫタイミング値Ｋ１の粒度が７シンボルのサブスロット（ハーフスロット）の場合、ＰＤＳＣＨ時間領域ＲＡテーブルは、２つのサブテーブルに分割されてもよい。また、ＨＡＲＱ−ＡＣＫタイミング値Ｋ１の粒度が３又は４シンボルのサブスロットの場合、ＰＤＳＣＨ時間領域ＲＡテーブルは、４つのサブテーブルに分割されてもよい。また、ＨＡＲＱ−ＡＣＫタイミング値Ｋ１の粒度が２シンボルのサブスロットの場合、ＰＤＳＣＨ時間領域ＲＡテーブルは、７つのサブテーブルに分割されてもよい。
【００８１】
このように、スロット内の各サブスロットと、ＰＤＳＣＨ時間領域ＲＡテーブルの各サブスロットは、１対１で対応してもよい。
【００８２】
ＰＤＳＣＨ時間領域ＲＡテーブル（図１Ｂ参照）で示される各行（又は各行が示す候補ＰＤＳＣＨ受信機会）がどのサブテーブル（どのサブスロット）に属するかは、所定のルールに基づいて決定されればよい。例えば、ＵＥは、当該各候補ＰＤＳＣＨ受信機会がどのサブテーブルに属するかを、以下の少なくとも一つに基づいて決定してもよい：
・候補ＰＤＳＣＨ受信機会の開始シンボル、
・候補ＰＤＳＣＨ受信機会の最終シンボル、
・候補ＰＤＳＣＨ受信機会がスロット内の複数の時間単位（例えば、複数のハーフスロット又はサブスロット）に跨る（span）場合、どの時間単位が当該候補ＰＤＳＣＨ受信期間内のより多くのシンボル数を含むか。
【００８３】
なお、一つの候補ＰＤＳＣＨ受信機会の開始及び終了シンボルが複数のサブスロットに跨る場合、当該候補ＰＤＳＣＨ受信機会は、当該複数のサブスロット（又は、当該複数のサブスロットそれぞれ対応する複数のサブテーブル）に属してもよいし、当該複数のサブスロット（又は当該複数のサブテーブル）のいずれかに属してもよい。すなわち、一つの候補ＰＤＳＣＨ受信機会を示す行（row）は、複数のサブテーブルそれぞれに含まれてもよいし、いずれか一つのサブテーブルのみで含まれてもよい。
【００８４】
ステップ３）
ＵＥは、Ｃ（Ｋ１）内のＨＡＲＱ−ＡＣＫタイミング値Ｋ１毎に、サブスロット内の候補ＰＤＳＣＨの受信機会ＭＡ、ｃを決定してもよい。ＵＥは、Ｃ（Ｋ１）内のＨＡＲＱ−ＡＣＫタイミング値Ｋ１毎に下記ステップ３−１）、３−２）を繰り返して、サブスロット＃ｎで送信する静的ＨＡＲＱ−ＡＣＫコードブックを決定してもよい。
【００８５】
ステップ３−１）
ＵＥは、ＰＤＳＣＨ時間領域ＲＡテーブルが分割されたサブテーブルと、ＨＡＲＱ−ＡＣＫタイミング値Ｋ１に対応するサブスロット＃ｎ−Ｋ１のフォーマットとの少なくとも一つに基づいて、サブスロット＃ｎ−Ｋ１で利用可能な候補ＰＤＳＣＨ受信機会ＭＡ、ｃを決定してもよい。
【００８６】
具体的には、ＵＥは、サブスロット＃ｎ−Ｋ１のフォーマットに基づいて、サブスロット＃ｎ−Ｋ１に対応するサブテーブルに属するＰＤＳＣＨ受信機会ＭＡ、ｃの少なくとも一部を利用不可能として除外してもよい（或いは、サブスロット＃ｎ−Ｋ１のフォーマットに基づいて当該候補ＰＤＳＣＨ受信機会ＭＡ、ｃの少なくとも一部を利用可能として抽出してもよい）。
【００８７】
なお、サブスロット＃ｎ−Ｋ１のフォーマットは、セル固有のＴＤＤ  ＵＬ／ＤＬ構成（例えば、上記TDD-UL-DL-ConfigurationCommon）、スロット個別のＴＤＤ  ＵＬ／ＤＬ構成（例えば、TDD-UL-DL-ConfigDedicated）及びＤＣＩの少なくとも一つに基づいて、決定されてもよい。
【００８８】
ステップ３−２）
ＵＥは、ステップ３−１）で決定された候補ＰＤＳＣＨの受信機会ＭＡ、ｃに対してインデックスを付与する。ＵＥは、少なくとも一部のシンボルが重複する複数の候補ＰＤＳＣＨ受信機会ＭＡ、ｃに対しては同一のインデックス（値）を付与し、候補ＰＤＳＣＨ受信機会のインデックス（値）毎にＨＡＲＱ−ＡＣＫビットを生成してもよい。
【００８９】
以下、図６Ａ〜６Ｃ及び７〜９を参照して、サブスロットレベルのＨＡＲＱ−ＡＣＫタイミング値Ｋ１のセットＣ（Ｋ１）が、３，２，１を含む場合（図５Ｂ参照）における静的ＨＡＲＱ−ＡＣＫコードブックの決定の一例を例示する。
【００９０】
図６Ａでは、図１ＢのＰＤＳＣＨ時間領域ＲＡテーブルに基づいて決定される所定スロット内の候補ＰＤＳＣＨ受信機会ＭＡ、ｃの一例が示される。例えば、図６Ａでは、図１ＢのＰＤＳＣＨ時間領域ＲＡテーブルのＲＩ＝０〜８の行に基づいて決定される候補ＰＤＳＣＨ受信機会が示される。
【００９１】
このように、図１ＢのＰＤＳＣＨ時間領域ＲＡテーブルは、上記所定のルールに従って複数のサブテーブルに分割されてもよい。例えば、図６Ｂ及び６Ｃでは、候補ＰＤＳＣＨ受信機会の最終シンボルがどのハーフスロットに属するかによって、当該候補ＰＤＳＣＨ受信機会がどのサブテーブルに属するかが決定される。
【００９２】
図６Ｂに示すように、図１ＢのＰＤＳＣＨ時間領域ＲＡテーブルのＲＩ＝０、４の行に基づいて決定される候補ＰＤＳＣＨ受信機会の最終シンボルは、サブスロット＃ｎ−Ｋ１（Ｋ１＝３）に属するので、当該ＲＩ＝０、４の行は、サブスロット＃ｎ−Ｋ１（Ｋ１＝３）に対応するサブテーブル１に含まれる。なお、図６ＢのＲＩ＝０、１の行は、図１ＢのＲＩ＝０、４の行に対応する。
【００９３】
図６Ｃに示すように、図１ＢのＰＤＳＣＨ時間領域ＲＡテーブルのＲＩ＝１〜３、５〜８の行に基づいて決定される候補ＰＤＳＣＨ受信機会の最終シンボルは、サブスロット＃ｎ−Ｋ１（Ｋ１＝２）に属するので、当該ＲＩ＝１〜３、５〜８の行は、サブスロット＃ｎ−Ｋ１（Ｋ１＝２）に対応するサブテーブル２に含まれる。なお、図６ＣのＲＩ＝０〜２、３〜６の行は、図１ＢのＲＩ＝１〜３、５〜８の行に対応する。
【００９４】
図６Ｂ、６Ｃに示すように、サブテーブル毎にＲＩは再付与されてもよいし、或いは、図１ＢのＰＤＳＣＨ時間領域ＲＡテーブルと同一のＲＩがサブテーブルでも用いられてもよい。後者の場合、サブテーブルを設けずに、図１ＢのＰＤＳＣＨ時間領域ＲＡテーブル内の行のセットがサブスロット毎のサブセットにグループ化されてもよい。
【００９５】
≪Ｋ１＝３の場合≫
図７では、サブスロット＃ｎ−Ｋ１が全て下りシンボル（Ｄ）で構成されるフォーマットである場合が示される。ＵＥは、当該サブスロット＃ｎ−Ｋ１（例えば、図５Ｂのサブスロット＃ｎ−３）では、図６Ｂに例示するサブテーブル１に属する全ての候補ＰＤＳＣＨ受信機会ＭＡ、ｃを利用可能である。
【００９６】
したがって、図７に示されるように、図６Ｂのサブテーブル１のＲＩ＝０、１それぞれに基づいて決定される全ての候補ＰＤＳＣＨ受信機会ＭＡ、ｃが抽出され、抽出された候補ＰＤＳＣＨ受信機会ＭＡ、ｃにインデックス（識別子又はＩＤ）が与えられる。ここで、少なくとも一部のシンボルが重複（衝突する）複数の候補ＰＤＳＣＨ受信機会ＭＡ、ｃには同じインデックスが与えられてもよい。
【００９７】
例えば、図７では、図６Ｂのサブテーブル１のＲＩ＝０、１に基づいて決定される２つの候補ＰＤＳＣＨ受信機会ＭＡ、ｃの一部のシンボルが重複するので、これらの候補ＰＤＳＣＨ受信機会ＭＡ、ｃには、同一のインデックス「０」が付与される。
【００９８】
サブスロット＃ｎ−Ｋ１に属する各インデックスの候補ＰＤＳＣＨ受信機会に対して、所定数（例えば、１ビット）のＨＡＲＱ−ＡＣＫビットを生成してもよい。例えば、図７では、一つのＵＥは、サブスロット＃ｎ−Ｋ１において一つの候補ＰＤＳＣＨ受信機会ＭＡ、ｃに対応する所定数のＨＡＲＱ−ＡＣＫビットを含む準静的ＨＡＲＱ−ＡＣＫコードブックを生成してもよい。
【００９９】
≪Ｋ１＝２の場合≫
図８では、サブスロット＃ｎ−Ｋ１が下りシンボル（Ｄ）、上りシンボル（Ｕ）、ガード期間（Ｇ）を含んで構成されるフォーマットである場合が示される。ＵＥは、当該サブスロット＃ｎ−Ｋ１（例えば、図５Ｂのサブスロット＃ｎ−２）では、図６Ｃに例示するサブテーブル２に属する全ての候補ＰＤＳＣＨ受信機会ＭＡ、ｃを利用可能である。
【０１００】
図８に示す場合、上りシンボルを含む候補ＰＤＳＣＨ受信機会（例えば、図６Ｃのサブテーブル２のＲＩ＝１、２、６に基づいて決定される候補ＰＤＳＣＨ受信機会）は、サブスロット＃ｎ−Ｋ１で利用できない。上りシンボルでは、ＵＥは、ＰＤＳＣＨを受信できないためである。
【０１０１】
したがって、図８に示されるように、図６Ｃのサブテーブル２のＲＩ＝１、２、６に基づいて決定される候補ＰＤＳＣＨ受信機会を除いた、ＲＩ＝０、３〜５それぞれに基づいて決定される全ての候補ＰＤＳＣＨ受信機会ＭＡ、ｃが抽出され、抽出された候補ＰＤＳＣＨ受信機会ＭＡ、ｃにインデックス（識別子又はＩＤ）が与えられる。
【０１０２】
なお、当該インデックスは、ＨＡＲＱ−ＡＣＫタイミング値Ｋ１のセットＣ（Ｋ１）内で通番に付与されてもよい。例えば、図７で説明したように、Ｋ１＝３の場合、サブスロット＃ｎ−Ｋ１内の候補ＰＤＳＣＨ受信機会ＭＡ、ｃには、インデックス「０」が付与される。このため、図８に示すＫ１＝２の場合、サブスロット＃ｎ−Ｋ１内の候補ＰＤＳＣＨ受信機会ＭＡ、ｃには、後続のインデックス「１」〜「３」が付与されてもよい。
【０１０３】
また、上述のように、少なくとも一部のシンボルが重複（衝突する）複数の候補ＰＤＳＣＨ受信機会ＭＡ、ｃには同じインデックスが与えられてもよい。例えば、図８では、図６Ｃのサブテーブル２のＲＩ＝０、３に基づいて決定される２つの候補ＰＤＳＣＨ受信機会ＭＡ、ｃの一部のシンボルが重複するので、これらの候補ＰＤＳＣＨ受信機会ＭＡ、ｃには、同一のインデックス「１」が付与される。
【０１０４】
このように、ＵＥは、サブスロット＃ｎ−Ｋ１（Ｋ１＝３、２）における候補ＰＤＳＣＨ受信機会ＭＡ、ｃに対応する準静的ＨＡＲＱ−ＡＣＫコードブックは、異なるインデックス（値）「０」〜「３」で識別される候補ＰＤＳＣＨ受信機会に対応する所定数（例えば、４ビット）のＨＡＲＱ−ＡＣＫビットを含んでもよい。
【０１０５】
≪Ｋ１＝１の場合≫
図９では、サブスロット＃ｎ−Ｋ１が全て上りシンボル（Ｕ）で構成されるフォーマットである場合が示される。ＵＥは、当該サブスロット＃ｎ−Ｋ１（例えば、図５Ｂのサブスロット＃ｎ−１）では、図６Ｂに例示するサブテーブル１に属する全ての候補ＰＤＳＣＨ受信機会ＭＡ、ｃを利用できない。
【０１０６】
したがって、図９に示されるように、サブスロット＃ｎ−Ｋ１で利用可能な候補ＰＤＳＣＨ受信機会は抽出されなくともよい。この場合、図９に示すサブスロット＃ｎ−Ｋ１（Ｋ１＝１）に対応するＨＡＲＱ−ＡＣＫビットは、Ｃ（Ｋ１）＝３、２、１に対応する準静的ＨＡＲＱ−ＡＣＫコードブックに含まれなくともよい。
【０１０７】
以上のように、第１の態様では、サブスロットレベルのＨＡＲＱ−ＡＣＫタイミングＫ１に基づいて、ＰＤＳＣＨ時間領域ＲＡテーブル内の各行で示される候補ＰＤＳＣＨ受信機会がサブスロット毎にグループ化される。したがって、ＵＥは、サブスロットレベルのＨＡＲＱ−ＡＣＫタイミング値Ｋ１に基づいて準静的ＨＡＲＱ−ＡＣＫコードブックを適切に決定できる。
【０１０８】
（第２の態様）
第２の態様では、ＵＥが、要求条件が異なる複数のサービス（例えばｅＭＢＢサービス及びＵＲＬＬＣサービスの双方）をサポートする場合を想定するが、これに限られない。
【０１０９】
＜前提条件＞
第２の態様では、ＵＥは、１スロット内でＨＡＲＱ−ＡＣＫ用の複数のＰＵＣＣＨの送信をサポートしてもよい。
【０１１０】
また、第２の態様では、ＵＥは、所定のルールに従って、複数のサービス（例えば、ｅＭＢＢサービス及びＵＲＬＬＣサービス）を識別できる。例えば、ＵＥは、以下の少なくとも一つのパラメータに基づいて、トラフィックがどのサービスに属するかを識別してもよい：
・ＤＣＩフォーマット、
・ＤＣＩ内の所定フィールド値、
・ＤＣＩのＣＲＣスクランブルに用いられる無線ネットワーク一時識別子（Radio  Network  Temporary  Identifier（ＲＮＴＩ）、
・下り制御チャネル（Physical  Downlink  Control  Channel（ＰＤＣＣＨ））のモニタリング機会（monitoring  occasion）。
【０１１１】
例えば、ＵＥは、ＰＤＳＣＨをスケジューリングするＤＣＩがＭＣＳ−Ｃ−ＲＮＴＩでＣＲＣスクランブルされる場合、当該ＰＤＳＣＨで伝送されるデータがＵＲＬＬＣサービスに対応すると認識してもよい。
【０１１２】
なお、以下では、ＵＥが、同一のキャリア（セル、コンポーネントキャリア、サービスセル等ともいう）（又は、同一のＢＷＰ）において、要求条件が異なる複数のサービスとして、ｅＭＢＢサービス及びＵＲＬＬＣサービスをサポートする例を説明するがこれに限られない。また、ＵＥは、所定レイヤより下位のレイヤ（例えば、物理レイヤ等）においては、サービスの種別自体を認識せず、上記少なくとも一つのパラメータに基づいて異なる動作（例えば、異なる準静的ＨＡＲＱ−ＡＣＫコードブック決定動作）を適用してもよい。
【０１１３】
図１０は、第２の態様の前提条件に係るスロットの一例を示す図である。図１０では、異なるサービス（例えば、ｅＭＢＢサービス及びＵＲＬＬＣサービス）に対応する複数のＰＤＳＣＨが同一スロット内にスケジュールされる一例が示される。例えば、図１０では、ｅＭＢＢサービスに対応するＰＤＳＣＨ＃０及びＵＲＬＬＣサービスに属するＰＤＳＣＨ＃１及び＃２が同一スロット内にスケジュールされる。
【０１１４】
また、図１０では、ＵＥは、同一スロット内に割り当てられる複数のＰＵＣＣＨリソースでそれぞれ複数のＰＵＣＣＨを送信してもよい。例えば、図１０では、ＰＤＳＣＨ＃１に対するＵＲＬＬＣ用のＰＵＣＣＨリソース＃０、ＰＤＳＣＨ＃２に対するＵＲＬＬＣ用のＰＵＣＣＨリソース＃１、及び、ＰＤＳＣＨ＃０に対するｅＭＢＢ用のＰＵＣＣＨリソース＃２が割り当てられる。
【０１１５】
図１０に示すように、ＵＥは、異なるサービスに対応する複数のＰＵＣＣＨリソースは、少なくとも時間領域で直交（orthogonal）する（重複（overlap）しない、又は、異なるシンボルに割り当てられる）と想定してもよい。
【０１１６】
或いは、ＵＥは、異なるサービスに対応する複数のＰＵＣＣＨリソースが時間領域及び周波数領域の少なくとも一方で重複する場合、特定のサービス（例えば、ｅＭＢＢサービス）に対応するＰＵＣＣＨリソースをドロップしてもよい、又は、特定のサービスに対応するＵＣＩ（例えば、ｅＭＢＢサービス用のＨＡＲＱ−ＡＣＫ）を、他のサービス（例えば、ＵＲＬＬＣサービス）用のＰＵＣＣＨに多重してもよい。
【０１１７】
＜サービス毎の準静的ＨＡＲＱ−ＡＣＫコードブック決定＞
第２の態様では、サービス毎の準静的ＨＡＲＱ−ＡＣＫコードブックの決定について説明する。具体的には、第１〜第４の方法のいずれかが用いられてもよい。
【０１１８】
≪第１の方法≫
第１の方法では、複数のサービス（例えば、ｅＭＢＢサービス及びＵＲＬＬＣサービス）間で、同一のＨＡＲＱ−ＡＣＫタイミング値Ｋ１の粒度、及び、同一のＰＤＳＣＨ時間領域ＲＡテーブルが用いられてもよい。
【０１１９】
ＨＡＲＱ−ＡＣＫタイミング値Ｋ１の粒度は、スロットレベルであってもよし、サブスロットレベルであってもよい。
【０１２０】
ＵＥは、当該複数のサービス間で共通にＨＡＲＱ−ＡＣＫウィンドウ（ＨＡＲＱ−ＡＣＫタイミング値Ｋ１のセットＣ（Ｋ１））を決定してもよい。ＵＥは、ＨＡＲＱ−ＡＣＫタイミング値Ｋ１毎に、ＰＤＳＣＨ時間領域ＲＡテーブルと所定の時間単位（例えば、スロット又はサブスロット）のフォーマットとに基づいて、当該複数のサービス間で共通の候補ＰＤＳＣＨ受信機会のセットを決定してもよい。また、ＨＡＲＱ−ＡＣＫウィンドウ内の各候補ＰＤＳＣＨ受信機会に対して、当該複数のサービス間で共通にインデックスを付与してもよい。
【０１２１】
一方、ＵＥは、当該複数のサービス間で別々に準静的ＨＡＲＱ−ＡＣＫコードブックを生成（構成、決定）してもよい。ＵＥは、サービス毎の準静的ＨＡＲＱ−ＡＣＫコードブックのサイズを、当該複数のサービス間で共通にＨＡＲＱ−ＡＣＫウィンドウ内の各候補ＰＤＳＣＨ受信機会に付されるインデックス（の総数）に基づいて決定してもよい。
【０１２２】
ＵＥは、サービス毎に生成される準静的ＨＡＲＱ−ＡＣＫコードブックをサービス毎に決定されるＰＵＣＣＨリソースを用いて送信してもよい。サービス毎に決定されるＰＵＣＣＨリソースは、同一の時間単位（例えば、スロット又はサブスロット）内に含まれてもよい。この場合、ＵＥは、当該同一の時間単位内において複数のＰＵＣＣＨを送信できる。
【０１２３】
また、ＵＥは、サービス毎に、ＨＡＲＱ−ＡＣＫウィンドウ内の直近の（latest）ＤＣＩ内の所定フィールドの値に基づいて、ＰＵＣＣＨリソースを決定してもよい。当該所定フィールドは、ＰＵＣＣＨリソース識別子（PUCCH  resource  indicator/indication（ＰＲＩ））フィールド、ＡＣＫ／ＮＡＣＫリソース識別子（ACK/NACK  Resource  Indicator（ＡＲＩ））フィールド、ＡＣＫ／ＮＡＣＫリソースオフセット（ACK/NACK  Resource  Offset（ＡＲＯ））フィールド等と呼ばれてもよい。当該所定フィールドの値は、ＰＲＩ、ＡＲＩ、ＡＲＯ等とも呼ばれる。
【０１２４】
［スロットレベル］
図１１は、第２の態様の第１の方法に係るスロットレベルの準静的ＨＡＲＱ−ＡＣＫコードブック決定動作の一例を示す図である。図１１では、ＵＥは、上記スロットレベルの準静的ＨＡＲＱコードブック決定動作（例えば、図１Ａ〜１Ｃ、２〜４参照）に従って、ＨＡＲＱ−ＡＣＫタイミング値Ｋ１毎に、スロット＃ｎ−Ｋ１における候補ＰＤＳＣＨの受信機会ＭＡ、ｃのセットを決定してもよい。
【０１２５】
図１１に示す場合、ＨＡＲＱ−ＡＣＫウィンドウ内で（ＨＡＲＱ−ＡＣＫタイミング値Ｋ１のセットＣ（Ｋ１）＝｛７，６，５｝に対応して）、インデックス「０」〜「８」の候補ＰＤＳＣＨ受信機会ＭＡ、ｃが利用可能となる。なお、インデックス「０」〜「８」の付与方法については、図２〜４で説明した通りである。
【０１２６】
図１１では、レイヤ数１でＣＢＧ単位の再送制御がＵＥに設定されていない場合を想定する。この場合、ＵＲＬＬＣ用ＨＡＲＱ−ＡＣＫコードブック及びｅＭＢＢ用ＨＡＲＱ−ＡＣＫコードブックは、それぞれ、ＨＡＲＱ−ＡＣＫウィンドウ内の異なるインデックスを有する候補ＰＤＳＣＨ受信機会ＭＡ、ｃの数Ｍｃ（＝９）のビットで構成されてもよい。
【０１２７】
例えば、図１１では、スロット＃ｎ−Ｋ１（Ｋ１＝７）内のシンボル＃０〜＃１３を含む候補ＰＤＳＣＨ受信機会＃０に対してｅＭＢＢ用のＰＤＳＣＨ＃０が割り当てられる。また、スロット＃ｎ−Ｋ１（Ｋ１＝７）内のシンボル＃２〜＃５、＃６〜＃９を含む候補ＰＤＳＣＨ受信機会＃５、＃６に対して、それぞれ、ＵＲＬＬＣ用のＰＤＳＣＨ＃１及び＃２が割り当てられる。
【０１２８】
ＵＥは、ＤＣＩ内の所定フィールド（例えば、時間領域リソース割り当て（Time  domain  resource  assignment）フィールド）値及び上位レイヤパラメータ（例えば、ＲＲＣ制御要素の「pdsch-TimeDomainAllocationList」）の少なくとも一つに基づいて、ＰＤＳＣＨ時間領域ＲＡテーブル（例えば、図１Ｂ）内のＲＩを決定し、当該ＲＩの行に基づいて、ＰＤＳＣＨ＃０〜＃２が割り当てられる候補ＰＤＳＣＨ受信機会＃０、＃５、＃６を決定してもよい。
【０１２９】
また、図１１では、ｅＭＢＢ用のＰＤＳＣＨ＃０をスケジュールするＤＣＩ内のＡＲＩ＝２である。このため、ＵＥは、当該ＡＲＩに基づいて、ｅＭＢＢ用の準静的ＨＡＲＱ−ＡＣＫコードブック（ｅＭＢＢ用ＨＡＲＱ−ＡＣＫコードブック）の送信に用いるＰＵＣＣＨリソース＃２を決定してもよい。
【０１３０】
また、スロット＃ｎ−Ｋ１（Ｋ１＝７）において、ｅＭＢＢ用のＰＤＳＣＨ＃０は、シンボル＃０〜＃１３を含む候補ＰＤＳＣＨ受信機会＃０に割り当てられる。このため、当該ＰＤＳＣＨ＃０に対するＨＡＲＱ−ＡＣＫビットは、ｅＭＢＢ用ＨＡＲＱ−ＡＣＫコードブック内の候補ＰＤＳＣＨ受信機会インデックス「０」に対応する位置に配置される。
【０１３１】
一方、図１１では、ＵＲＬＬＣ用のＰＤＳＣＨ＃１、２をスケジュールするＤＣＩ内のＡＲＩ＝０、１である。このように、同一のＨＡＲＱ−ＡＣＫウィンドウ内で同一のサービス用の複数のＡＲＩが検出される場合、ＵＥは、直近に検出されるＡＲＩ（例えば、図１１では、ＰＤＳＣＨ＃２をスケジュールするＤＣＩ内のＡＲＩ＝１）に基づいて、ＵＲＬＬＣ用の準静的ＨＡＲＱ−ＡＣＫコードブック（ＵＲＬＬＣ用ＨＡＲＱ−ＡＣＫコードブック）の送信に用いるＰＵＣＣＨリソース＃１を決定してもよい。
【０１３２】
また、スロット＃ｎ−Ｋ１（Ｋ１＝６）において、ＵＲＬＬＣ用のＰＤＳＣＨ＃１、＃２は、それぞれ、シンボル＃２〜＃５、＃６〜＃９を含む候補ＰＤＳＣＨ受信機会＃５、＃６に割り当てられる。このため、当該ＰＤＳＣＨ＃１、＃２に対するＨＡＲＱ−ＡＣＫビットは、ＵＲＬＬＣ用ＨＡＲＱ−ＡＣＫコードブック内の候補ＰＤＳＣＨ受信機会インデックス「５」、「６」に対応する位置に配置される。
【０１３３】
［サブスロットレベル］
図１２は、第２の態様の第１の方法に係るサブスロットレベルの準静的ＨＡＲＱ−ＡＣＫコードブック決定動作の一例を示す図である。図１２では、ＵＥは、上記サブスロットレベルの準静的ＨＡＲＱコードブック決定動作（例えば、図５Ｂ、６Ａ〜６Ｃ、７〜９参照）に従って、ＨＡＲＱ−ＡＣＫタイミング値Ｋ１毎に、サブスロット＃ｎ−Ｋ１における候補ＰＤＳＣＨ受信機会ＭＡ、ｃのセットを決定してもよい。なお、図１２では、図１１との相違点を中心に説明する。
【０１３４】
図１２に示す場合、ＨＡＲＱ−ＡＣＫウィンドウ（ＨＡＲＱ−ＡＣＫタイミング値Ｋ１のセットＣ（Ｋ１）＝｛３，２，１｝）内で、インデックス「０」〜「３」の候補ＰＤＳＣＨ受信機会ＭＡ、ｃが利用可能となる。なお、インデックス「０」〜「３」の付与方法については、図７〜９で説明した通りである。
【０１３５】
図１２では、レイヤ数１でＣＢＧ単位の再送制御がＵＥに設定されていない場合を想定するため、ＵＲＬＬＣ用ＨＡＲＱ−ＡＣＫコードブック及びｅＭＢＢ用ＨＡＲＱ−ＡＣＫコードブックは、それぞれ、ＨＡＲＱ−ＡＣＫウィンドウ内で利用可能な候補ＰＤＳＣＨ受信機会ＭＡ、ｃの数Ｍｃ（＝４）のビットで構成されてもよい。
【０１３６】
例えば、図１２では、サブスロット＃ｎ−Ｋ１（Ｋ１＝３）に属するシンボル＃２〜＃５を含む候補ＰＤＳＣＨ受信機会＃０に対してｅＭＢＢ用のＰＤＳＣＨ＃０が割り当てられる。また、サブロット＃ｎ−Ｋ１（Ｋ１＝２）に属する候補ＰＤＳＣＨ受信機会＃１〜＃３に対して、それぞれ、ＵＲＬＬＣ用のＰＤＳＣＨ＃１〜＃３が割り当てられる。
【０１３７】
ＵＥは、ＤＣＩ内の所定フィールド（例えば、時間領域リソース割り当てフィールド）値及び上位レイヤパラメータ（例えば、ＲＲＣ制御要素の「pdsch-TimeDomainAllocationList」）の少なくとも一つに基づいて、ＰＤＳＣＨ時間領域ＲＡテーブル（例えば、図１Ｂ）内のＲＩを決定し、当該ＲＩの行に基づいてＰＤＳＣＨ＃０〜＃３がスケジュールされる候補ＰＤＳＣＨ受信機会＃０〜＃３を決定してもよい。
【０１３８】
例えば、図１２では、ｅＭＢＢ用のＰＤＳＣＨ＃０をスケジュールするＤＣＩ内のＡＲＩ＝０である。このため、ＵＥは、当該ＡＲＩに基づいて、ｅＭＢＢ用ＨＡＲＱ−ＡＣＫコードブックの送信に用いるＰＵＣＣＨリソース＃０を決定してもよい。なお、ＨＡＲＱ−ＡＣＫタイミング値Ｋ１によって定まるサブスロット＃ｎには、当該ＰＵＣＣＨリソース＃０の少なくとも一部のシンボルが含まれていればよい（一部のシンボルは、サブスロット＃ｎに含まれていなくともよい）。
【０１３９】
また、サブスロット＃ｎ−Ｋ１（Ｋ１＝３）において、ｅＭＢＢ用のＰＤＳＣＨ＃０は、シンボル＃２〜＃５を含む候補ＰＤＳＣＨ受信機会＃０に割り当てられる。このため、当該ＰＤＳＣＨ＃０に対するＨＡＲＱ−ＡＣＫビットは、ｅＭＢＢ用ＨＡＲＱ−ＡＣＫコードブック内の候補ＰＤＳＣＨ受信機会インデックス「０」に対応する位置に配置される。
【０１４０】
一方、図１２では、ＵＲＬＬＣ用のＰＤＳＣＨ＃１〜＃３をスケジュールするＤＣＩ内のＡＲＩ＝１〜３である。このように、同一のＨＡＲＱ−ＡＣＫウィンドウ内で同一のサービス用の複数のＡＲＩが検出される場合、ＵＥは、直近に検出されるＡＲＩ（例えば、図１２では、ＰＤＳＣＨ＃３をスケジュールするＤＣＩ内のＡＲＩ＝３）に基づいて、ＵＲＬＬＣ用ＨＡＲＱ−ＡＣＫコードブックの送信に用いるＰＵＣＣＨリソース＃３を決定してもよい。
【０１４１】
また、スロット＃ｎ−Ｋ１（Ｋ１＝２）において、ＵＲＬＬＣ用のＰＤＳＣＨ＃１〜＃３は、それぞれ、候補ＰＤＳＣＨ受信機会＃１〜＃３に割り当てられる。このため、当該ＰＤＳＣＨ＃１〜＃３に対するＨＡＲＱ−ＡＣＫビットは、ＵＲＬＬＣ用ＨＡＲＱ−ＡＣＫコードブック内の候補ＰＤＳＣＨ受信機会インデックス「１」〜「３」に対応する位置に配置される。
【０１４２】
以上のように、第１の方法では、複数のサービス間で同一のＨＡＲＱ−ＡＣＫタイミング値Ｋ１の粒度及び同一のＰＤＳＣＨ時間領域ＲＡテーブルが用いられるので、複数のサービス間で同一サイズの準静的ＨＡＲＱ−ＡＣＫコードブックを生成できる。
【０１４３】
≪第２の方法≫
第２の方法では、複数のサービス（例えば、ｅＭＢＢサービス及びＵＲＬＬＣサービス）間で、同一のＨＡＲＱ−ＡＣＫタイミング値Ｋ１の粒度、及び、異なるＰＤＳＣＨ時間領域ＲＡテーブル、又は、共通のＰＤＳＣＨ時間領域ＲＡテーブル内の異なる行が用いられる。なお、第２の方法では、第１の方法との相違点を中心に説明する。
【０１４４】
図１３Ａ及び１３Ｂは、第２の態様の第２の方法に係るサービス毎のＰＤＳＣＨ時間領域ＲＡの一例を示す図である。複数のサービス間で異なる候補ＰＤＳＣＨ受信機会のセットは、当該複数のサービス間で共通のＰＤＳＣＨ時間領域ＲＡテーブル内の異なる行によって示されてもよいし（図１３Ａ）、当該複数のサービスに個別のＰＤＳＣＨ時間領域ＲＡテーブルによって示されてもよい（図１３Ｂ）。
【０１４５】
例えば、図１３Ａでは、ＵＲＬＬＣサービス及びｅＭＢＢサービスに共通のＰＤＳＣＨ時間領域ＲＡテーブル内のＲＩ＝０〜８の行によってＵＲＬＬＣ用の候補ＰＤＳＣＨ受信機会のセットが示される。一方、当該ＰＤＳＣＨ時間領域ＲＡテーブル内のＲＩ＝９〜１１の行によってＵＲＬＬＣ用の候補ＰＤＳＣＨ受信機会のセットが示される。
【０１４６】
一方、図１３Ｂでは、ｅＭＢＢサービス用のＰＤＳＣＨ時間領域ＲＡテーブルと、ＵＲＬＬＣサービス用のＰＤＳＣＨ時間領域ＲＡテーブルとが設定（configure）又は予め定められてもよい。図１３Ｂでは、ｅＭＢＢサービス用のＰＤＳＣＨ時間領域ＲＡテーブルの行によってＵＲＬＬＣ用の候補ＰＤＳＣＨ受信機会のセットが示される。一方、ＵＲＬＬＣサービス用のＰＤＳＣＨ時間領域ＲＡテーブルの行によってＵＲＬＬＣ用の候補ＰＤＳＣＨ受信機会のセットが示される。
【０１４７】
ＵＥは、サービス毎の候補ＰＤＳＣＨ受信機会ＭＡ、ｃのセットに基づいて、サービス毎の準静的ＨＡＲＱ−ＡＣＫコードブックを生成（構成、決定）してもよい。ＵＥは、サービス毎の準静的ＨＡＲＱ−ＡＣＫコードブックのサイズを、サービス毎の候補ＰＤＳＣＨ受信機会インデックス（の総数）に基づいて決定してもよい。
【０１４８】
ＵＥは、サービス毎に生成される準静的ＨＡＲＱ−ＡＣＫコードブックをサービス毎に決定されるＰＵＣＣＨリソースを用いて送信してもよい。ＵＥは、第１の方法で説明したように、サービス毎のＰＵＣＣＨリソースを決定できる。
【０１４９】
［スロットレベル］
図１４は、スロットレベルのＨＡＲＱ−ＡＣＫタイミング値Ｋ１に基づいて決定されるサービス毎の候補ＰＤＳＣＨ受信機会のセットの一例を示す図である。図１４では、図１３Ａに示されるサービス間で共通のＰＤＳＣＨ時間領域ＲＡテーブル又は図１３Ｂに示されるサービス毎のＰＤＳＣＨ時間領域ＲＡテーブルと、スロットのフォーマットに基づいて決定されるサービス毎の候補ＰＤＳＣＨ受信機会が示される。
【０１５０】
具体的には、ＵＥは、当該複数のサービス間で共通にＨＡＲＱ−ＡＣＫウィンドウ（ＨＡＲＱ−ＡＣＫタイミング値Ｋ１のセットＣ（Ｋ１））を決定してもよい。ＵＥは、ＨＡＲＱ−ＡＣＫタイミング値Ｋ１毎に、図１３Ａ又は図１３ＢのＰＤＳＣＨ時間領域ＲＡテーブルと所定の時間単位のフォーマットとに基づいて、サービス毎の候補ＰＤＳＣＨ受信機会のセットを決定してもよい。また、ＨＡＲＱ−ＡＣＫウィンドウ内の各候補ＰＤＳＣＨ受信機会に対して、サービス毎のインデックスを付与してもよい。
【０１５１】
例えば、図１４では、ＨＡＲＱ−ＡＣＫウィンドウ内でＵＲＬＬＣサービスに利用可能な候補ＰＤＳＣＨ受信機会ＭＡ、ｃのセットには、インデックス「０」〜「８」の候補ＰＤＳＣＨ受信機会が含まれる。一方、ＨＡＲＱ−ＡＣＫウィンドウ内でｅＭＢＢサービスに利用可能な候補ＰＤＳＣＨ受信機会ＭＡ、ｃのセットには、インデックス「０」〜「２」の候補ＰＤＳＣＨ受信機会が含まれる。
【０１５２】
図１５は、第２の態様の第２の方法に係るスロットレベルの準静的ＨＡＲＱ−ＡＣＫコードブック決定動作の一例を示す図である。図１５では、ＵＥは、上記スロットレベルの準静的ＨＡＲＱコードブック決定動作（例えば、図１Ａ〜１Ｃ、２〜４参照）に従って、サービス毎に、かつ、ＨＡＲＱ−ＡＣＫタイミング値Ｋ１毎に、スロット＃ｎ−Ｋ１における候補ＰＤＳＣＨの受信機会ＭＡ、ｃのセットを決定してもよい。
【０１５３】
図１４で説明したように、ＨＡＲＱ−ＡＣＫウィンドウ内で（ＨＡＲＱ−ＡＣＫタイミング値Ｋ１のセットＣ（Ｋ１）＝｛７，６，５｝に対応して）、ＵＲＬＬＣサービスにはインデックス「０」〜「８」の候補ＰＤＳＣＨ受信機会ＭＡ、ｃが利用可能となる。このため、レイヤ数１でＣＢＧ単位の再送制御がＵＥに設定されていない場合、ＵＲＬＬＣ用ＨＡＲＱ−ＡＣＫコードブックは、９ビットで構成されてもよい。
【０１５４】
一方、ＨＡＲＱ−ＡＣＫウィンドウ内で（ＨＡＲＱ−ＡＣＫタイミング値Ｋ１のセットＣ（Ｋ１）＝｛７，６，５｝に対応して）、ｅＭＢＢサービスにはインデックス「０」〜「２」の候補ＰＤＳＣＨ受信機会ＭＡ、ｃが利用可能となる。このため、レイヤ数１でＣＢＧ単位の再送制御がＵＥに設定されていない場合、ｅＭＢＢ用ＨＡＲＱ−ＡＣＫコードブックは、３ビットで構成されてもよい。
【０１５５】
このように、サービス毎にＨＡＲＱ−ＡＣＫウィンドウ内で利用可能な候補ＰＤＳＣＨ受信機会ＭＡ、ｃを決定する場合、少なくとも一つのサービスのＨＡＲＱ−ＡＣＫコードブックのサイズを小さくできる。
【０１５６】
例えば、図１５では、スロット＃ｎ−Ｋ１（Ｋ１＝７）内のシンボル＃０〜＃１３を含むｅＭＢＢ用の候補ＰＤＳＣＨ受信機会＃０に対してｅＭＢＢ用のＰＤＳＣＨ＃０が割り当てられる。当該ＰＤＳＣＨ＃０に対するＨＡＲＱ−ＡＣＫビットは、ｅＭＢＢ用ＨＡＲＱ−ＡＣＫコードブック内の候補ＰＤＳＣＨ受信機会インデックス「０」に対応する位置に配置される。
【０１５７】
また、当該ＰＤＳＣＨ＃０をスケジュールするＤＣＩ内のＡＲＩ＝２である。このため、ＵＥは、当該ＡＲＩに基づいて、ｅＭＢＢ用ＨＡＲＱ−ＡＣＫコードブックの送信に用いるＰＵＣＣＨリソース＃２を決定してもよい。
【０１５８】
また、スロット＃ｎ−Ｋ１（Ｋ１＝６）において、ＵＲＬＬＣ用のＰＤＳＣＨ＃１、＃２は、それぞれ、シンボル＃２〜＃５、＃６〜＃９を含む候補ＰＤＳＣＨ受信機会＃５、＃６に割り当てられる。このため、当該ＰＤＳＣＨ＃１、＃２に対するＨＡＲＱ−ＡＣＫビットは、ＵＲＬＬＣ用ＨＡＲＱ−ＡＣＫコードブック内の候補ＰＤＳＣＨ受信機会インデックス「５」、「６」に対応する位置に配置される。
【０１５９】
また、ＵＲＬＬＣ用のＰＤＳＣＨ＃１、２をスケジュールするＤＣＩ内のＡＲＩ＝０、１である。このように、同一のＨＡＲＱ−ＡＣＫウィンドウ内で同一のサービス用の複数のＡＲＩが検出される場合、ＵＥは、直近に検出されるＡＲＩ（例えば、図１５では、ＰＤＳＣＨ＃２をスケジュールするＤＣＩ内のＡＲＩ＝１）に基づいて、ＵＲＬＬＣ用ＨＡＲＱ−ＡＣＫコードブックの送信に用いるＰＵＣＣＨリソース＃１を決定してもよい。
【０１６０】
［サブスロットレベル］
図１６は、サブスロットレベルのＨＡＲＱ−ＡＣＫタイミング値Ｋ１に基づいて決定されるサービス毎の候補ＰＤＳＣＨ受信機会のセットの一例を示す図である。図１６では、図１３Ａに示されるサービス間で共通のＰＤＳＣＨ時間領域ＲＡテーブル又は図１３Ｂに示されるサービス毎のＰＤＳＣＨ時間領域ＲＡテーブルは、スロット内のサブスロット数に基づいて複数のサブテーブルに分割されてもよい。
【０１６１】
各サービスの各候補ＰＤＳＣＨ受信機会がサービス毎のどのサブテーブルに属するかを定める所定のルールについては、第１の態様で述べた通りである。例えば、図１６では、各サービスの各候補ＰＤＳＣＨ受信機会の最終シンボルがどのサブスロットに属するかによって、各候補ＰＤＳＣＨ受信機会を示す行を含むサブテーブルが決定されてもよい。
【０１６２】
ＵＥは、ＨＡＲＱ−ＡＣＫタイミング値Ｋ１毎に、図１３Ａ又は図１３ＢのＰＤＳＣＨ時間領域ＲＡテーブルのサブテーブルと所定の時間単位（例えば、サブスロット）のフォーマットとに基づいて、サービス毎の候補ＰＤＳＣＨ受信機会のセットを決定してもよい。また、ＨＡＲＱ−ＡＣＫウィンドウ内の各候補ＰＤＳＣＨ受信機会に対して、サービス毎のインデックスを付与してもよい。
【０１６３】
例えば、図１６では、ＨＡＲＱ−ＡＣＫウィンドウ内でＵＲＬＬＣサービスに利用可能な候補ＰＤＳＣＨ受信機会ＭＡ、ｃのセットには、インデックス「０」〜「３」の候補ＰＤＳＣＨ受信機会が含まれる。一方、ＨＡＲＱ−ＡＣＫウィンドウ内でｅＭＢＢサービスに利用可能な候補ＰＤＳＣＨ受信機会ＭＡ、ｃのセットには、インデックス「０」の候補ＰＤＳＣＨ受信機会が含まれる。
【０１６４】
図１７は、第２の態様の第２の方法に係るサブスロットレベルの準静的ＨＡＲＱ−ＡＣＫコードブック決定動作の一例を示す図である。図１７では、ＵＥは、上記サブスロットレベルの準静的ＨＡＲＱコードブック決定動作（例えば、図５Ｂ、６Ａ〜６Ｃ、７〜９参照）に従って、サービス毎に、かつ、ＨＡＲＱ−ＡＣＫタイミング値Ｋ１毎に、サブスロット＃ｎ−Ｋ１における候補ＰＤＳＣＨの受信機会ＭＡ、ｃのセットを決定してもよい。
【０１６５】
図１６で説明したように、ＨＡＲＱ−ＡＣＫウィンドウ内で（ＨＡＲＱ−ＡＣＫタイミング値Ｋ１のセットＣ（Ｋ１）＝｛３，２，１｝に対応して）、ＵＲＬＬＣサービスにはインデックス「０」〜「３」の候補ＰＤＳＣＨ受信機会ＭＡ、ｃが利用可能となる。このため、レイヤ数１でＣＢＧ単位の再送制御がＵＥに設定されていない場合、ＵＲＬＬＣ用ＨＡＲＱ−ＡＣＫコードブックは、４ビットで構成されてもよい。
【０１６６】
一方、ＨＡＲＱ−ＡＣＫウィンドウ内で（ＨＡＲＱ−ＡＣＫタイミング値Ｋ１のセットＣ（Ｋ１）＝｛３，２，１｝に対応して）、ｅＭＢＢサービスにはインデックス「０」の候補ＰＤＳＣＨ受信機会ＭＡ、ｃが利用可能となる。このため、レイヤ数１でＣＢＧ単位の再送制御がＵＥに設定されていない場合、ｅＭＢＢ用ＨＡＲＱ−ＡＣＫコードブックは、１ビットで構成されてもよい。
【０１６７】
例えば、図１７では、サブスロット＃ｎ−Ｋ１（Ｋ１＝３）内のｅＭＢＢ用の候補ＰＤＳＣＨ受信機会＃０に対してｅＭＢＢ用のＰＤＳＣＨ＃０が割り当てられる。当該ＰＤＳＣＨ＃０に対するＨＡＲＱ−ＡＣＫビットは、ｅＭＢＢ用ＨＡＲＱ−ＡＣＫコードブック内の候補ＰＤＳＣＨ受信機会インデックス「０」に対応する位置に配置される。
【０１６８】
また、当該ＰＤＳＣＨ＃０をスケジュールするＤＣＩ内のＡＲＩ＝０である。このため、ＵＥは、当該ＡＲＩに基づいて、ｅＭＢＢ用ＨＡＲＱ−ＡＣＫコードブックの送信に用いるＰＵＣＣＨリソース＃０を決定してもよい。
【０１６９】
また、サブスロット＃ｎ−Ｋ１（Ｋ１＝２）において、ＵＲＬＬＣ用のＰＤＳＣＨ＃１〜＃３は、それぞれ、シンボル＃６〜＃７、＃８〜＃９、＃１０〜＃１１を含む候補ＰＤＳＣＨ受信機会＃１、＃２、＃３に割り当てられる。このため、当該ＰＤＳＣＨ＃１、＃２、＃３に対するＨＡＲＱ−ＡＣＫビットは、ＵＲＬＬＣ用ＨＡＲＱ−ＡＣＫコードブック内の候補ＰＤＳＣＨ受信機会インデックス「１」、「２」、「３」に対応する位置に配置される。
【０１７０】
また、ＵＲＬＬＣ用のＰＤＳＣＨ＃１、２、３をスケジュールするＤＣＩ内のＡＲＩ＝１、２、３である。このように、同一のＨＡＲＱ−ＡＣＫウィンドウ内で同一のサービス用の複数のＡＲＩが検出される場合、ＵＥは、直近に検出されるＡＲＩ（例えば、図１７では、ＰＤＳＣＨ＃２をスケジュールするＤＣＩ内のＡＲＩ＝３）に基づいて、ＵＲＬＬＣ用ＨＡＲＱ−ＡＣＫコードブックの送信に用いるＰＵＣＣＨリソース＃３を決定してもよい。
【０１７１】
以上のように、第２の方法では、複数のサービス間で同一のＨＡＲＱ−ＡＣＫタイミング値Ｋ１の粒度と、異なるＰＤＳＣＨ時間領域ＲＡテーブル又は共通のＰＤＳＣＨ時間領域ＲＡテーブル内の異なる行によってサービス毎の候補ＰＤＳＣＨ受信機会のセットが与えられる。このため、サービス毎の候補ＰＤＳＣＨ受信機会ＭＡ、ｃのセットに基づいて、少なくとも一つのサービスのＨＡＲＱ−ＡＣＫコードブックのサイズを小さくできる。
【０１７２】
≪第３の方法≫
第３の方法では、複数のサービス（例えば、ｅＭＢＢサービス及びＵＲＬＬＣサービス）間で、異なるＨＡＲＱ−ＡＣＫタイミング値Ｋ１の粒度、及び、同一のＰＤＳＣＨ時間領域ＲＡテーブルが用いられる。なお、第３の方法では、第１及び第２の方法の少なくとも一つとの相違点を中心に説明する。
【０１７３】
第３の方法では、同一のＰＤＳＣＨ時間領域ＲＡテーブルが用いられるが、異なるＨＡＲＱ−ＡＣＫタイミング値Ｋ１の粒度に基づくため、当該複数のサービス間で異なる候補ＰＤＳＣＨ受信機会のセットが用いられる。
【０１７４】
図１８は、第２の態様の第３の方法に係るサービス毎の候補ＰＤＳＣＨ受信機会のセットの一例を示す図である。図１８では、ｅＭＢＢサービスのＨＡＲＱ−ＡＣＫタイミング値Ｋ１の粒度がスロットレベルであり、ＵＲＬＬＣサービスのＨＡＲＱ−ＡＣＫタイミング値Ｋ１の粒度がサブスロットレベルである一例を示すが、これに限られない。
【０１７５】
例えば、ｅＭＢＢサービスのＨＡＲＱ−ＡＣＫタイミング値Ｋ１の粒度がサブスロットレベルであり、ＵＲＬＬＣサービスのＨＡＲＱ−ＡＣＫタイミング値Ｋ１の粒度がサブスロットレベルであってもよい。また、ｅＭＢＢサービス及びＵＲＬＬＣサービスのＨＡＲＱ−ＡＣＫタイミング値Ｋ１の粒度が異なるシンボル数のサブスロット（例えば、７シンボルのサブスロット、２シンボルのサブスロット）等であってもよい。
【０１７６】
図１８では、図１Ｂに示されるＰＤＳＣＨ時間領域ＲＡテーブルと、所定の時間単位（例えば、スロット）のフォーマットに基づいて決定されるサービス毎の候補ＰＤＳＣＨ受信機会が示される。
【０１７７】
具体的には、ＵＥは、サービス毎にＨＡＲＱ−ＡＣＫウィンドウ（ＨＡＲＱ−ＡＣＫタイミング値Ｋ１のセットＣ（Ｋ１））を決定してもよい。ＵＥは、サービス毎に、かつ、ＨＡＲＱ−ＡＣＫタイミング値Ｋ１毎に、図１ＢのＰＤＳＣＨ時間領域ＲＡテーブルと所定の時間単位（例えば、スロット又はサブスロット）のフォーマットとに基づいて、サービス毎の候補ＰＤＳＣＨ受信機会のセットを決定してもよい。また、サービス毎のＨＡＲＱ−ＡＣＫウィンドウ内の各候補ＰＤＳＣＨ受信機会に対して、サービス毎のインデックスを付与してもよい。
【０１７８】
例えば、図１８では、ＵＲＬＬＣ用のＨＡＲＱ−ＡＣＫウィンドウ内で利用可能な候補ＰＤＳＣＨ受信機会ＭＡ、ｃのセットには、インデックス「０」〜「５」の候補ＰＤＳＣＨ受信機会が含まれる。一方、ｅＭＢＢ用のＨＡＲＱ−ＡＣＫウィンドウ内で利用可能な候補ＰＤＳＣＨ受信機会ＭＡ、ｃのセットには、インデックス「０」〜「８」の候補ＰＤＳＣＨ受信機会が含まれる。
【０１７９】
［ｅＭＢＢサービス］
図１９は、第２の態様の第３の方法に係るｅＭＢＢ用準静的ＨＡＲＱ−ＡＣＫコードブック決定動作の一例を示す図である。図１９では、ｅＭＢＢサービスにスロットレベルのＨＡＲＱ−ＡＣＫタイミング値Ｋ１が用いられるので、ＵＥは、上記スロットレベルの準静的ＨＡＲＱコードブック決定動作（例えば、図１Ａ〜１Ｃ、２〜４参照）に従って、ＨＡＲＱ−ＡＣＫタイミング値Ｋ１毎に、スロット＃ｎ−Ｋ１におけるｅＭＢＢサービス用の候補ＰＤＳＣＨの受信機会ＭＡ、ｃのセットを決定してもよい。
【０１８０】
図１８で説明したように、ＨＡＲＱ−ＡＣＫウィンドウ内で（ＨＡＲＱ−ＡＣＫタイミング値Ｋ１のセットＣ（Ｋ１）＝｛７，６，５｝に対応して）、ｅＭＢＢサービスにはインデックス「０」〜「８」の候補ＰＤＳＣＨ受信機会ＭＡ、ｃが利用可能となる。このため、レイヤ数１でＣＢＧ単位の再送制御がＵＥに設定されていない場合、ｅＭＢＢ用ＨＡＲＱ−ＡＣＫコードブックは、９ビットで構成されてもよい。
【０１８１】
例えば、図１９では、スロット＃ｎ−Ｋ１（Ｋ１＝７）内のシンボル＃０〜＃１３を含む候補ＰＤＳＣＨ受信機会＃０と、スロット＃ｎ−Ｋ１（Ｋ１＝６）内のシンボル＃２〜＃５を含む候補ＰＤＳＣＨ受信機会＃５とに対してｅＭＢＢ用のＰＤＳＣＨ＃０、＃１が割り当てられる。当該ＰＤＳＣＨ＃０、＃１に対するＨＡＲＱ−ＡＣＫビットは、ｅＭＢＢ用ＨＡＲＱ−ＡＣＫコードブック内の候補ＰＤＳＣＨ受信機会インデックス「０」「５」に対応する位置に配置される。
【０１８２】
また、ｅＭＢＢサービス用のＨＡＲＱ−ＡＣＫウィンドウ内で直近のＤＣＩ（ＰＤＳＣＨ＃１をスケジュールするＤＣＩ）内のＡＲＩ＝０である。このため、ＵＥは、当該ＡＲＩに基づいて、ｅＭＢＢ用ＨＡＲＱ−ＡＣＫコードブックの送信に用いるＰＵＣＣＨリソース＃０を決定してもよい。
【０１８３】
なお、図示しないが、ｅＭＢＢサービスにサブスロットレベルのＨＡＲＱ−ＡＣＫタイミング値Ｋ１が用いられる場合、ＵＥは、上記サブスロットレベルの準静的ＨＡＲＱコードブック決定動作（例えば、図５Ｂ、６Ａ〜６Ｃ、７〜９参照）に従って、ｅＭＢＢサービス用の候補ＰＤＳＣＨの受信機会ＭＡ、ｃのセットを決定してもよい。
【０１８４】
［ＵＲＬＬＣサービス］
図２０は、第２の態様の第３の方法に係るＵＲＬＬＣ用準静的ＨＡＲＱ−ＡＣＫコードブック決定動作の一例を示す図である。図２０では、ＵＲＬＬＣサービスにサブスロットレベルのＨＡＲＱ−ＡＣＫタイミング値Ｋ１が用いられるので、ＵＥは、上記サブスロットレベルの準静的ＨＡＲＱコードブック決定動作（例えば、図５Ｂ、６Ａ〜６Ｃ、７〜９参照）に従って、ＨＡＲＱ−ＡＣＫタイミング値Ｋ１毎に、スロット＃ｎ−Ｋ１におけるＵＲＬＬＣサービス用の候補ＰＤＳＣＨの受信機会ＭＡ、ｃのセットを決定してもよい。
【０１８５】
図１８で説明したように、ＨＡＲＱ−ＡＣＫウィンドウ内で（ＨＡＲＱ−ＡＣＫタイミング値Ｋ１のセットＣ（Ｋ１）＝｛７，６，５｝に対応して）、ＵＲＬＬＣサービスにはインデックス「０」〜「５」の候補ＰＤＳＣＨ受信機会ＭＡ、ｃが利用可能となる。このため、レイヤ数１でＣＢＧ単位の再送制御がＵＥに設定されていない場合、ＵＲＬＬＣ用ＨＡＲＱ−ＡＣＫコードブックは、４ビットで構成されてもよい。
【０１８６】
例えば、図２０では、サブスロット＃ｎ−Ｋ１（Ｋ１＝７）内のシンボル＃２〜＃５を含む候補ＰＤＳＣＨ受信機会＃０とサブスロット＃ｎ−Ｋ１（Ｋ１＝６）に少なくとも一部が属する候補ＰＤＳＣＨ受信機会＃１、＃３とに対して、それぞれ、ＵＲＬＬＣ用のＰＤＳＣＨ＃２、＃３、＃４が割り当てられる。当該ＰＤＳＣＨ＃２、＃３、＃４に対するＨＡＲＱ−ＡＣＫビットは、ｅＭＢＢ用ＨＡＲＱ−ＡＣＫコードブック内の候補ＰＤＳＣＨ受信機会インデックス「０」「１」「３」に対応する位置に配置される。
【０１８７】
また、ＵＲＬＬＣサービス用のＨＡＲＱ−ＡＣＫウィンドウ内で直近のＤＣＩ（ＰＤＳＣＨ＃４をスケジュールするＤＣＩ）内のＡＲＩ＝３である。このため、ＵＥは、当該ＡＲＩに基づいて、ＵＲＬＬＣ用ＨＡＲＱ−ＡＣＫコードブックの送信に用いるＰＵＣＣＨリソース＃３を決定してもよい。
【０１８８】
なお、図示しないが、ＵＲＬＬＣサービスにスロットレベルのＨＡＲＱ−ＡＣＫタイミング値Ｋ１が用いられる場合、ＵＥは、上記スロットレベルの準静的ＨＡＲＱコードブック決定動作（例えば、図１Ａ〜１Ｃ、２〜４参照）に従って、ＵＲＬＬＣサービス用の候補ＰＤＳＣＨの受信機会ＭＡ、ｃのセットを決定してもよい。
【０１８９】
以上のように、第３の方法では、複数のサービス間で異なるＨＡＲＱ−ＡＣＫタイミング値Ｋ１の粒度が用いられるので、同一のＰＤＳＣＨ時間領域ＲＡテーブルに基づいて、サービス毎に候補ＰＤＳＣＨ受信機会のセットが決定され得る。
【０１９０】
≪第４の方法≫
第４の方法では、複数のサービス（例えば、ｅＭＢＢサービス及びＵＲＬＬＣサービス）間で、異なるＨＡＲＱ−ＡＣＫタイミング値Ｋ１の粒度、及び、異なるＰＤＳＣＨ時間領域ＲＡテーブルが用いられる。なお、第４の方法では、第１〜第３の方法の少なくとも一つとの相違点を中心に説明する。
【０１９１】
第４の方法では、図１３Ａ又は１３Ｂに例示するように、サービス毎に異なるＰＤＳＣＨ時間領域ＲＡ用の行又はテーブルが与えられる。ＵＥは、当該行又はテーブルと、サービス毎に異なるＨＡＲＱ−ＡＣＫタイミング値Ｋ１の粒度に基づいて、当該複数のサービス間で異なる候補ＰＤＳＣＨ受信機会のセットが用いることができる。
【０１９２】
例えば、ｅＭＢＢサービスのＨＡＲＱ−ＡＣＫタイミング値Ｋ１の粒度がスロットレベルであり、ＵＲＬＬＣサービスのＨＡＲＱ−ＡＣＫタイミング値Ｋ１の粒度がサブスロットレベルである場合、ＵＥは、ｅＭＢＢ用に図１４のインデックス「０」〜「２」の候補ＰＤＳＣＨ受信機会ＭＡ、ｃを決定してもよい。一方、ＵＲＬＬＣ用に図１６のインデックス「０」〜「３」の候補ＰＤＳＣＨ受信機会ＭＡ、ｃを決定してもよい。なお、決定動作の詳細は、図１４、１６で説明した通りである。
【０１９３】
例えば、ｅＭＢＢサービスのＨＡＲＱ−ＡＣＫタイミング値Ｋ１の粒度がサブスロットレベルであり、ＵＲＬＬＣサービスのＨＡＲＱ−ＡＣＫタイミング値Ｋ１の粒度がスロットレベルである場合、ＵＥは、ｅＭＢＢ用に、図１６のインデックス「０」の候補ＰＤＳＣＨ受信機会ＭＡ、ｃを決定してもよい。一方、ＵＲＬＬＣ用に、図１４のインデックス「０」〜「８」の候補ＰＤＳＣＨ受信機会ＭＡ、ｃを決定してもよい。なお、決定動作の詳細は、図１４、１６で説明した通りである。
【０１９４】
以上のように、第４の方法では、サービス毎に異なるＰＤＳＣＨ時間領域ＲＡ用の行又はテーブルを用いてサービス毎の候補ＰＤＳＣＨ受信機会のセットが用いられるので、少なくとも一つのサービスのＨＡＲＱ−ＡＣＫコードブックのサイズを小さくできる。
【０１９５】
＜準静的ＨＡＲＱ−ＡＣＫコードブックのフィードバック＞
第２の態様では、上記第１〜第４の方法のいずれかを用いて、サービス毎に準静的ＨＡＲＱ−ＡＣＫコードブックを決定できる。第１〜第４の方法では、ＵＥは、サービス毎の準静的ＨＡＲＱ−ＡＣＫコードブックを同一の時間単位（例えば、スロット又はサブスロット）内でサービス毎のＰＵＣＣＨを用いて送信する例を説明したが、これに限られない。
【０１９６】
≪オプション１≫
ある時間単位（例えば、スロット又はサブスロット）において、ＵＥは、異なるサービスに対応するＨＡＲＱ−ＡＣＫビットを単一の準静的ＨＡＲＱ−ＡＣＫコードブック内で送信してもよい。この場合、ＵＥは、サービス毎に準静的ＨＡＲＱ−ＡＣＫコードブックを決定してから（第１〜第４の方法参照）、各サービスのＨＡＲＱ−ＡＣＫビットの位置に基づいて、単一の準静的ＨＡＲＱ−ＡＣＫコードブックを生成してもよい。
【０１９７】
例えば、ｅＭＢＢ用ＨＡＲＱ−ＡＣＫコードブックは、上記第１〜第４の方法で説明したように、ｅＭＢＢ用のＰＤＳＣＨに対するＨＡＲＱ−ＡＣＫビットを含み、ＵＲＬＬＣ用のＰＤＳＣＨに対するＨＡＲＱ−ＡＣＫビットを含まなくともよい（例えば、図１１、１２等）。この場合、上記第１〜第４の方法が適用されてもよい。
【０１９８】
或いは、ｅＭＢＢ用ＨＡＲＱ−ＡＣＫコードブックは、ＵＲＬＬＣ用に十分なＰＤＳＣＨ処理時間があるなら、当該ＵＲＬＬＣ用のＰＤＳＣＨの復号結果に基づくＨＡＲＱ−ＡＣＫビットを、当該ＵＲＬＬＣ用のＰＤＳＣＨを受信する候補ＰＤＳＣＨ受信機会インデックスに対応する位置で含んでもよい。なお、ＵＲＬＬＣ用に十分なＰＤＳＣＨ処理時間が無い場合、当該候補ＰＤＳＣＨ受信機会インデックスに対応する位置には、ＮＡＣＫビットが含まれてもよい。この場合、上記第１の方法が適用されてもよい。
【０１９９】
或いは、ｅＭＢＢ用ＨＡＲＱ−ＡＣＫコードブックは、ＵＲＬＬＣ用のＰＤＳＣＨ処理時間を満たすか否かに関係なく、ＵＲＬＬＣ用のＰＤＳＣＨに対するＨＡＲＱ−ＡＣＫビットを（ＡＣＫビット又はＮＡＣＫビットをバーチャルＣＲＣとして）、当該ＵＲＬＬＣ用のＰＤＳＣＨを受信する候補ＰＤＳＣＨ受信機会インデックスに対応する位置で含んでもよい。この場合、上記第１の方法が適用されてもよい。
【０２００】
また、ＵＲＬＬＣ用ＨＡＲＱ−ＡＣＫコードブックは、上記第１〜第４の方法で説明したように、ＵＲＬＬＣ用のＰＤＳＣＨに対するＨＡＲＱ−ＡＣＫビットを含み、ｅＭＢＢ用のＰＤＳＣＨに対するＨＡＲＱ−ＡＣＫビットを含まなくともよい（例えば、図１１、１２等）。この場合、上記第１〜第４の方法が適用されてもよい。
【０２０１】
或いは、ＵＲＬＬＣ用ＨＡＲＱ−ＡＣＫコードブックは、ＵＲＬＬＣ用のＰＤＳＣＨに対するＨＡＲＱ−ＡＣＫビット及びｅＭＢＢ用のＰＤＳＣＨに対するＨＡＲＱ−ＡＣＫビットの双方を含んでもよい。ｅＭＢＢ用のＨＡＲＱ−ＡＣＫビットは、復号結果に基づくＨＡＲＱ−ＡＣＫビットであってもよいし、ＮＡＣＫビットであってもよいし、バーチャルＣＲＣであってもよい。この場合、上記第１の方法が適用されてもよい。
【０２０２】
図２１は、第２の態様のオプション１に係る複数のサービスに共通の準静的ＨＡＲＱ−ＡＣＫコードブック（共通ＨＡＲＱ−ＡＣＫコードブック）の一例を示す図である。図２１では、図１１と同様に、複数のサービス間で同一の粒度（例えば、スロットレベル）のＨＡＲＱ−ＡＣＫタイミング値Ｋ１を用いる例が示される。
【０２０３】
図１１では、ｅＭＢＢ用のＰＤＳＣＨに対するＨＡＲＱ−ＡＣＫビットを含むｅＭＢＢ用ＨＡＲＱ−ＡＣＫコードブックと、ＵＲＬＬＣ用のＰＤＳＣＨに対するＨＡＲＱ−ＡＣＫビットを含むｅＭＢＢ用ＨＡＲＱ−ＡＣＫコードブックと、がそれぞれ、異なるＰＵＣＣＣＨリソース＃１、＃２でフィードバックされる。
【０２０４】
一方、図２１では、ｅＭＢＢ用のＰＤＳＣＨに対するＨＡＲＱ−ＡＣＫビットと、ＵＲＬＬＣ用のＰＤＳＣＨに対するＨＡＲＱ−ＡＣＫビットと、を含むｅＭＢＢ及びＵＲＬＬＣに共通の共通ＨＡＲＱ−ＡＣＫコードブックがフィードバックされてもよい。当該共通ＨＡＲＱ−ＡＣＫコードブックは、図２１に示すように、スロット＃ｎ内の複数のＰＵＣＣＨリソースで送信されてもよいし、又は、単一のＰＵＣＣＨリソースで送信されてもよい。
【０２０５】
図２２は、第２の態様のオプション１に係る複数のサービスに共通の準静的ＨＡＲＱ−ＡＣＫコードブック（共通ＨＡＲＱ−ＡＣＫコードブック）の他の例を示す図である。図２２では、図１２と同様に、複数のサービス間で同一の粒度（例えば、サブスロットレベル）のＨＡＲＱ−ＡＣＫタイミング値Ｋ１を用いる例が示す以外は、図２１と同様である。
【０２０６】
≪オプション２≫
ある時間単位（例えば、スロット又はサブスロット）において、ＵＥは、複数のサービスの準静的ＨＡＲＱ−ＡＣＫコードブックを送信せずに、ＵＥは、特定のサービスの準静的ＨＡＲＱ−ＡＣＫコードブックを送信してもよい。この場合、ＵＥは、残りのサービスの準静的ＨＡＲＱ−ＡＣＫコードブックをドロップしてもよい。
【０２０７】
例えば、ＵＥは、ＵＲＬＬＣ用のＰＤＣＣＨ及びＰＤＳＣＨの少なくとも一つを受信する場合、ＵＥは、当該ＵＲＬＬＣ用の候補ＰＤＳＣＨ受信機会のインデックスに対応する位置にＨＡＲＱ−ＡＣＫビットを含むＵＲＬＬＣ用ＨＡＲＱ−ＡＣＫコードブックを送信してもよい。
【０２０８】
ＵＥは、上記以外の場合、ＵＥは、当該ｅＭＢＢ用の候補ＰＤＳＣＨ受信機会のインデックスに対応する位置にＨＡＲＱ−ＡＣＫビットを含むｅＭＢＢ用ＨＡＲＱ−ＡＣＫコードブックを送信してもよい。
【０２０９】
≪フィードバック方法の決定≫
ＵＥは、ある時間単位内でどの準静的ＨＡＲＱ−ＡＣＫコードブック（例えば、ｅＭＢＢ用ＨＡＲＱ−ＡＣＫコードブック及びＵＲＬＬＣ用ＨＡＲＱコードブックの少なくとも一つ、又は、共通ＨＡＲＱ−ＡＣＫコードブック）をフィードバックするかを、上位レイヤシグナリング及びＤＣＩの少なくとも一つによって決定してもよい。
【０２１０】
或いは、ＵＥは、ある時間単位内でどの準静的ＨＡＲＱ−ＡＣＫコードブックをフィードバックするかを、他のパラメータ（例えば、ＵＥの能力情報）によって導出してもよい。例えば、ＵＥは、サービス毎のＨＡＲＱ−ＡＣＫコードブックを生成できるか否かに基づいて、ある時間単位内においてフィードバックする準静的ＨＡＲＱ−ＡＣＫコードブックを決定してもよい。
【０２１１】
第２の態様では、ＵＥが、要求条件が異なる複数のサービスをサポートする場合に、所定の時間単位（例えば、スロット又はサブスロット）レベルのＨＡＲＱ−ＡＣＫタイミング値に基づく準静的ＨＡＲＱ−ＡＣＫコードブックの決定及びフィードバックの少なくとも一つを適切に制御できる。
【０２１２】
（無線通信システム）
以下、本開示の一実施形態に係る無線通信システムの構成について説明する。この無線通信システムでは、本開示の上記各実施形態に係る無線通信方法のいずれか又はこれらの組み合わせを用いて通信が行われる。
【０２１３】
図２３は、一実施形態に係る無線通信システムの概略構成の一例を示す図である。無線通信システム１は、Third  Generation  Partnership  Project（３ＧＰＰ）によって仕様化されるLong  Term  Evolution（ＬＴＥ）、5th  generation  mobile  communication  system  New  Radio（５Ｇ  ＮＲ）などを用いて通信を実現するシステムであってもよい。
【０２１４】
また、無線通信システム１は、複数のRadio  Access  Technology（ＲＡＴ）間のデュアルコネクティビティ（マルチＲＡＴデュアルコネクティビティ（Multi-RAT  Dual  Connectivity（ＭＲ−ＤＣ）））をサポートしてもよい。ＭＲ−ＤＣは、ＬＴＥ（Evolved  Universal  Terrestrial  Radio  Access（Ｅ−ＵＴＲＡ））とＮＲとのデュアルコネクティビティ（E-UTRA-NR  Dual  Connectivity（ＥＮ−ＤＣ））、ＮＲとＬＴＥとのデュアルコネクティビティ（NR-E-UTRA  Dual  Connectivity（ＮＥ−ＤＣ））などを含んでもよい。
【０２１５】
ＥＮ−ＤＣでは、ＬＴＥ（Ｅ−ＵＴＲＡ）の基地局（ｅＮＢ）がマスタノード（Master  Node（ＭＮ））であり、ＮＲの基地局（ｇＮＢ）がセカンダリノード（Secondary  Node（ＳＮ））である。ＮＥ−ＤＣでは、ＮＲの基地局（ｇＮＢ）がＭＮであり、ＬＴＥ（Ｅ−ＵＴＲＡ）の基地局（ｅＮＢ）がＳＮである。
【０２１６】
無線通信システム１は、同一のＲＡＴ内の複数の基地局間のデュアルコネクティビティ（例えば、ＭＮ及びＳＮの双方がＮＲの基地局（ｇＮＢ）であるデュアルコネクティビティ（NR-NR  Dual  Connectivity（ＮＮ−ＤＣ）））をサポートしてもよい。
【０２１７】
無線通信システム１は、比較的カバレッジの広いマクロセルＣ１を形成する基地局１１と、マクロセルＣ１内に配置され、マクロセルＣ１よりも狭いスモールセルＣ２を形成する基地局１２（１２ａ−１２ｃ）と、を備えてもよい。ユーザ端末２０は、少なくとも１つのセル内に位置してもよい。各セル及びユーザ端末２０の配置、数などは、図に示す態様に限定されない。以下、基地局１１及び１２を区別しない場合は、基地局１０と総称する。
【０２１８】
ユーザ端末２０は、複数の基地局１０のうち、少なくとも１つに接続してもよい。ユーザ端末２０は、複数のコンポーネントキャリア（Component  Carrier（ＣＣ））を用いたキャリアアグリゲーション（Carrier  Aggregation（ＣＡ））及びデュアルコネクティビティ（ＤＣ）の少なくとも一方を利用してもよい。
【０２１９】
各ＣＣは、第１の周波数帯（Frequency  Range  1（ＦＲ１））及び第２の周波数帯（Frequency  Range  2（ＦＲ２））の少なくとも１つに含まれてもよい。マクロセルＣ１はＦＲ１に含まれてもよいし、スモールセルＣ２はＦＲ２に含まれてもよい。例えば、ＦＲ１は、６ＧＨｚ以下の周波数帯（サブ６ＧＨｚ（sub-6GHz））であってもよいし、ＦＲ２は、２４ＧＨｚよりも高い周波数帯（above-24GHz）であってもよい。なお、ＦＲ１及びＦＲ２の周波数帯、定義などはこれらに限られず、例えばＦＲ１がＦＲ２よりも高い周波数帯に該当してもよい。
【０２２０】
また、ユーザ端末２０は、各ＣＣにおいて、時分割複信（Time  Division  Duplex（ＴＤＤ））及び周波数分割複信（Frequency  Division  Duplex（ＦＤＤ））の少なくとも１つを用いて通信を行ってもよい。
【０２２１】
複数の基地局１０は、有線（例えば、Common  Public  Radio  Interface（ＣＰＲＩ）に準拠した光ファイバ、Ｘ２インターフェースなど）又は無線（例えば、ＮＲ通信）によって接続されてもよい。例えば、基地局１１及び１２間においてＮＲ通信がバックホールとして利用される場合、上位局に該当する基地局１１はIntegrated  Access  Backhaul（ＩＡＢ）ドナー、中継局（リレー）に該当する基地局１２はＩＡＢノードと呼ばれてもよい。
【０２２２】
基地局１０は、他の基地局１０を介して、又は直接コアネットワーク３０に接続されてもよい。コアネットワーク３０は、例えば、Evolved  Packet  Core（ＥＰＣ）、5G  Core  Network（５ＧＣＮ）、Next  Generation  Core（ＮＧＣ）などの少なくとも１つを含んでもよい。
【０２２３】
ユーザ端末２０は、ＬＴＥ、ＬＴＥ−Ａ、５Ｇなどの通信方式の少なくとも１つに対応した端末であってもよい。
【０２２４】
無線通信システム１においては、直交周波数分割多重（Orthogonal  Frequency  Division  Multiplexing（ＯＦＤＭ））ベースの無線アクセス方式が利用されてもよい。例えば、下りリンク（Downlink（ＤＬ））及び上りリンク（Uplink（ＵＬ））の少なくとも一方において、Cyclic  Prefix  OFDM（ＣＰ−ＯＦＤＭ）、Discrete  Fourier  Transform  Spread  OFDM（ＤＦＴ−ｓ−ＯＦＤＭ）、Orthogonal  Frequency  Division  Multiple  Access（ＯＦＤＭＡ）、Single  Carrier  Frequency  Division  Multiple  Access（ＳＣ−ＦＤＭＡ）などが利用されてもよい。
【０２２５】
無線アクセス方式は、波形（waveform）と呼ばれてもよい。なお、無線通信システム１においては、ＵＬ及びＤＬの無線アクセス方式には、他の無線アクセス方式（例えば、他のシングルキャリア伝送方式、他のマルチキャリア伝送方式）が用いられてもよい。
【０２２６】
無線通信システム１では、下りリンクチャネルとして、各ユーザ端末２０で共有される下り共有チャネル（Physical  Downlink  Shared  Channel（ＰＤＳＣＨ））、ブロードキャストチャネル（Physical  Broadcast  Channel（ＰＢＣＨ））、下り制御チャネル（Physical  Downlink  Control  Channel（ＰＤＣＣＨ））などが用いられてもよい。
【０２２７】
また、無線通信システム１では、上りリンクチャネルとして、各ユーザ端末２０で共有される上り共有チャネル（Physical  Uplink  Shared  Channel（ＰＵＳＣＨ））、上り制御チャネル（Physical  Uplink  Control  Channel（ＰＵＣＣＨ））、ランダムアクセスチャネル（Physical  Random  Access  Channel（ＰＲＡＣＨ））などが用いられてもよい。
【０２２８】
ＰＤＳＣＨによって、ユーザデータ、上位レイヤ制御情報、System  Information  Block（ＳＩＢ）などが伝送される。ＰＵＳＣＨによって、ユーザデータ、上位レイヤ制御情報などが伝送されてもよい。また、ＰＢＣＨによって、Master  Information  Block（ＭＩＢ）が伝送されてもよい。
【０２２９】
ＰＤＣＣＨによって、下位レイヤ制御情報が伝送されてもよい。下位レイヤ制御情報は、例えば、ＰＤＳＣＨ及びＰＵＳＣＨの少なくとも一方のスケジューリング情報を含む下り制御情報（Downlink  Control  Information（ＤＣＩ））を含んでもよい。
【０２３０】
なお、ＰＤＳＣＨをスケジューリングするＤＣＩは、ＤＬアサインメント、ＤＬ  ＤＣＩなどと呼ばれてもよいし、ＰＵＳＣＨをスケジューリングするＤＣＩは、ＵＬグラント、ＵＬ  ＤＣＩなどと呼ばれてもよい。なお、ＰＤＳＣＨはＤＬデータで読み替えられてもよいし、ＰＵＳＣＨはＵＬデータで読み替えられてもよい。
【０２３１】
ＰＤＣＣＨの検出には、制御リソースセット（COntrol  REsource  SET（ＣＯＲＥＳＥＴ））及びサーチスペース（search  space）が利用されてもよい。ＣＯＲＥＳＥＴは、ＤＣＩをサーチするリソースに対応する。サーチスペースは、ＰＤＣＣＨ候補（PDCCH  candidates）のサーチ領域及びサーチ方法に対応する。１つのＣＯＲＥＳＥＴは、１つ又は複数のサーチスペースに関連付けられてもよい。ＵＥは、サーチスペース設定に基づいて、あるサーチスペースに関連するＣＯＲＥＳＥＴをモニタしてもよい。
【０２３２】
１つのサーチスペースは、１つ又は複数のアグリゲーションレベル（aggregation  Level）に該当するＰＤＣＣＨ候補に対応してもよい。１つ又は複数のサーチスペースは、サーチスペースセットと呼ばれてもよい。なお、本開示の「サーチスペース」、「サーチスペースセット」、「サーチスペース設定」、「サーチスペースセット設定」、「ＣＯＲＥＳＥＴ」、「ＣＯＲＥＳＥＴ設定」などは、互いに読み替えられてもよい。
【０２３３】
ＰＵＣＣＨによって、チャネル状態情報（Channel  State  Information（ＣＳＩ））、送達確認情報（例えば、Hybrid  Automatic  Repeat  reQuest  ACKnowledgement（ＨＡＲＱ−ＡＣＫ）、ＡＣＫ／ＮＡＣＫなどと呼ばれてもよい）及びスケジューリングリクエスト（Scheduling  Request（ＳＲ））の少なくとも１つを含む上り制御情報（Uplink  Control  Information（ＵＣＩ））が伝送されてもよい。ＰＲＡＣＨによって、セルとの接続確立のためのランダムアクセスプリアンブルが伝送されてもよい。
【０２３４】
なお、本開示において下りリンク、上りリンクなどは「リンク」を付けずに表現されてもよい。また、各種チャネルの先頭に「物理（Physical）」を付けずに表現されてもよい。
【０２３５】
無線通信システム１では、同期信号（Synchronization  Signal（ＳＳ））、下りリンク参照信号（Downlink  Reference  Signal（ＤＬ−ＲＳ））などが伝送されてもよい。無線通信システム１では、ＤＬ−ＲＳとして、セル固有参照信号（Cell-specific  Reference  Signal（ＣＲＳ））、チャネル状態情報参照信号（Channel  State  Information  Reference  Signal（ＣＳＩ−ＲＳ））、復調用参照信号（DeModulation  Reference  Signal（ＤＭＲＳ））、位置決定参照信号（Positioning  Reference  Signal（ＰＲＳ））、位相トラッキング参照信号（Phase  Tracking  Reference  Signal（ＰＴＲＳ））などが伝送されてもよい。
【０２３６】
同期信号は、例えば、プライマリ同期信号（Primary  Synchronization  Signal（ＰＳＳ））及びセカンダリ同期信号（Secondary  Synchronization  Signal（ＳＳＳ））の少なくとも１つであってもよい。ＳＳ（ＰＳＳ、ＳＳＳ）及びＰＢＣＨ（及びＰＢＣＨ用のＤＭＲＳ）を含む信号ブロックは、ＳＳ／ＰＢＣＨブロック、SS  Block（ＳＳＢ）などと呼ばれてもよい。なお、ＳＳ、ＳＳＢなども、参照信号と呼ばれてもよい。
【０２３７】
また、無線通信システム１では、上りリンク参照信号（Uplink  Reference  Signal（ＵＬ−ＲＳ））として、測定用参照信号（Sounding  Reference  Signal（ＳＲＳ））、復調用参照信号（ＤＭＲＳ）などが伝送されてもよい。なお、ＤＭＲＳはユーザ端末固有参照信号（UE-specific  Reference  Signal）と呼ばれてもよい。
【０２３８】
（基地局）
図２４は、一実施形態に係る基地局の構成の一例を示す図である。基地局１０は、制御部１１０、送受信部１２０、送受信アンテナ１３０及び伝送路インターフェース（transmission  line  interface）１４０を備えている。なお、制御部１１０、送受信部１２０及び送受信アンテナ１３０及び伝送路インターフェース１４０は、それぞれ１つ以上が備えられてもよい。
【０２３９】
なお、本例では、本実施の形態における特徴部分の機能ブロックを主に示しており、基地局１０は、無線通信に必要な他の機能ブロックも有すると想定されてもよい。以下で説明する各部の処理の一部は、省略されてもよい。
【０２４０】
制御部１１０は、基地局１０全体の制御を実施する。制御部１１０は、本開示に係る技術分野での共通認識に基づいて説明されるコントローラ、制御回路などから構成することができる。
【０２４１】
制御部１１０は、信号の生成、スケジューリング（例えば、リソース割り当て、マッピング）などを制御してもよい。制御部１１０は、送受信部１２０、送受信アンテナ１３０及び伝送路インターフェース１４０を用いた送受信、測定などを制御してもよい。制御部１１０は、信号として送信するデータ、制御情報、系列（sequence）などを生成し、送受信部１２０に転送してもよい。制御部１１０は、通信チャネルの呼処理（設定、解放など）、基地局１０の状態管理、無線リソースの管理などを行ってもよい。
【０２４２】
送受信部１２０は、ベースバンド（baseband）部１２１、Radio  Frequency（ＲＦ）部１２２、測定部１２３を含んでもよい。ベースバンド部１２１は、送信処理部１２１１及び受信処理部１２１２を含んでもよい。送受信部１２０は、本開示に係る技術分野での共通認識に基づいて説明されるトランスミッター／レシーバー、ＲＦ回路、ベースバンド回路、フィルタ、位相シフタ（phase  shifter）、測定回路、送受信回路などから構成することができる。
【０２４３】
送受信部１２０は、一体の送受信部として構成されてもよいし、送信部及び受信部から構成されてもよい。当該送信部は、送信処理部１２１１、ＲＦ部１２２から構成されてもよい。当該受信部は、受信処理部１２１２、ＲＦ部１２２、測定部１２３から構成されてもよい。
【０２４４】
送受信アンテナ１３０は、本開示に係る技術分野での共通認識に基づいて説明されるアンテナ、例えばアレイアンテナなどから構成することができる。
【０２４５】
送受信部１２０は、上述の下りリンクチャネル、同期信号、下りリンク参照信号などを送信してもよい。送受信部１２０は、上述の上りリンクチャネル、上りリンク参照信号などを受信してもよい。
【０２４６】
送受信部１２０は、デジタルビームフォーミング（例えば、プリコーディング）、アナログビームフォーミング（例えば、位相回転）などを用いて、送信ビーム及び受信ビームの少なくとも一方を形成してもよい。
【０２４７】
送受信部１２０（送信処理部１２１１）は、例えば制御部１１０から取得したデータ、制御情報などに対して、Packet  Data  Convergence  Protocol（ＰＤＣＰ）レイヤの処理、Radio  Link  Control（ＲＬＣ）レイヤの処理（例えば、ＲＬＣ再送制御）、Medium  Access  Control（ＭＡＣ）レイヤの処理（例えば、ＨＡＲＱ再送制御）などを行い、送信するビット列を生成してもよい。
【０２４８】
送受信部１２０（送信処理部１２１１）は、送信するビット列に対して、チャネル符号化（誤り訂正符号化を含んでもよい）、変調、マッピング、フィルタ処理、離散フーリエ変換（Discrete  Fourier  Transform（ＤＦＴ））処理（必要に応じて）、逆高速フーリエ変換（Inverse  Fast  Fourier  Transform（ＩＦＦＴ））処理、プリコーディング、デジタル−アナログ変換などの送信処理を行い、ベースバンド信号を出力してもよい。
【０２４９】
送受信部１２０（ＲＦ部１２２）は、ベースバンド信号に対して、無線周波数帯への変調、フィルタ処理、増幅などを行い、無線周波数帯の信号を、送受信アンテナ１３０を介して送信してもよい。
【０２５０】
一方、送受信部１２０（ＲＦ部１２２）は、送受信アンテナ１３０によって受信された無線周波数帯の信号に対して、増幅、フィルタ処理、ベースバンド信号への復調などを行ってもよい。
【０２５１】
送受信部１２０（受信処理部１２１２）は、取得されたベースバンド信号に対して、アナログ−デジタル変換、高速フーリエ変換（Fast  Fourier  Transform（ＦＦＴ））処理、逆離散フーリエ変換（Inverse  Discrete  Fourier  Transform（ＩＤＦＴ））処理（必要に応じて）、フィルタ処理、デマッピング、復調、復号（誤り訂正復号を含んでもよい）、ＭＡＣレイヤ処理、ＲＬＣレイヤの処理及びＰＤＣＰレイヤの処理などの受信処理を適用し、ユーザデータなどを取得してもよい。
【０２５２】
送受信部１２０（測定部１２３）は、受信した信号に関する測定を実施してもよい。例えば、測定部１２３は、受信した信号に基づいて、Radio  Resource  Management（ＲＲＭ）測定、Channel  State  Information（ＣＳＩ）測定などを行ってもよい。測定部１２３は、受信電力（例えば、Reference  Signal  Received  Power（ＲＳＲＰ））、受信品質（例えば、Reference  Signal  Received  Quality（ＲＳＲＱ）、Signal  to  Interference  plus  Noise  Ratio（ＳＩＮＲ）、Signal  to  Noise  Ratio（ＳＮＲ））、信号強度（例えば、Received  Signal  Strength  Indicator（ＲＳＳＩ））、伝搬路情報（例えば、ＣＳＩ）などについて測定してもよい。測定結果は、制御部１１０に出力されてもよい。
【０２５３】
伝送路インターフェース１４０は、コアネットワーク３０に含まれる装置、他の基地局１０などとの間で信号を送受信（バックホールシグナリング）し、ユーザ端末２０のためのユーザデータ（ユーザプレーンデータ）、制御プレーンデータなどを取得、伝送などしてもよい。
【０２５４】
なお、本開示における基地局１０の送信部及び受信部は、送受信部１２０、送受信アンテナ１３０及び伝送路インターフェース１４０の少なくとも１つによって構成されてもよい。
【０２５５】
なお、送受信部１２０は、コードブック（準静的ＨＡＲＱ−ＡＣＫコードブック）を受信してもよい。送受信部１２０は、ＰＵＣＣＨ又はＰＵＳＣＨを用いて当該コードブックを受信してもよい。
【０２５６】
なお、送受信部１２０は、ＨＡＲＱ−ＡＣＫタイミング値の粒度（時間単位）を示す情報を送信してもよい。当該情報は、システム情報又はＲＲＣパラメータに含まれてもよい。また、送受信部１２０は、ある時間単位内でどの準静的ＨＡＲＱ−ＡＣＫコードブック（例えば、ｅＭＢＢ用ＨＡＲＱ−ＡＣＫコードブック及びＵＲＬＬＣ用ＨＡＲＱコードブックの少なくとも一つ、又は、共通ＨＡＲＱ−ＡＣＫコードブック）をフィードバックするかを示す、上位レイヤシグナリング及びＤＣＩの少なくとも一つを送信してもよい。
【０２５７】
なお、制御部１１０は、受信したコードブックに基づいてＰＤＳＣＨの送信を制御してもよい。
【０２５８】
（ユーザ端末）
図２５は、一実施形態に係るユーザ端末の構成の一例を示す図である。ユーザ端末２０は、制御部２１０、送受信部２２０及び送受信アンテナ２３０を備えている。なお、制御部２１０、送受信部２２０及び送受信アンテナ２３０は、それぞれ１つ以上が備えられてもよい。
【０２５９】
なお、本例では、本実施の形態における特徴部分の機能ブロックを主に示しており、ユーザ端末２０は、無線通信に必要な他の機能ブロックも有すると想定されてもよい。以下で説明する各部の処理の一部は、省略されてもよい。
【０２６０】
制御部２１０は、ユーザ端末２０全体の制御を実施する。制御部２１０は、本開示に係る技術分野での共通認識に基づいて説明されるコントローラ、制御回路などから構成することができる。
【０２６１】
制御部２１０は、信号の生成、マッピングなどを制御してもよい。制御部２１０は、送受信部２２０及び送受信アンテナ２３０を用いた送受信、測定などを制御してもよい。制御部２１０は、信号として送信するデータ、制御情報、系列などを生成し、送受信部２２０に転送してもよい。
【０２６２】
送受信部２２０は、ベースバンド部２２１、ＲＦ部２２２、測定部２２３を含んでもよい。ベースバンド部２２１は、送信処理部２２１１、受信処理部２２１２を含んでもよい。送受信部２２０は、本開示に係る技術分野での共通認識に基づいて説明されるトランスミッター／レシーバー、ＲＦ回路、ベースバンド回路、フィルタ、位相シフタ、測定回路、送受信回路などから構成することができる。
【０２６３】
送受信部２２０は、一体の送受信部として構成されてもよいし、送信部及び受信部から構成されてもよい。当該送信部は、送信処理部２２１１、ＲＦ部２２２から構成されてもよい。当該受信部は、受信処理部２２１２、ＲＦ部２２２、測定部２２３から構成されてもよい。
【０２６４】
送受信アンテナ２３０は、本開示に係る技術分野での共通認識に基づいて説明されるアンテナ、例えばアレイアンテナなどから構成することができる。
【０２６５】
送受信部２２０は、上述の下りリンクチャネル、同期信号、下りリンク参照信号などを受信してもよい。送受信部２２０は、上述の上りリンクチャネル、上りリンク参照信号などを送信してもよい。
【０２６６】
送受信部２２０は、デジタルビームフォーミング（例えば、プリコーディング）、アナログビームフォーミング（例えば、位相回転）などを用いて、送信ビーム及び受信ビームの少なくとも一方を形成してもよい。
【０２６７】
送受信部２２０（送信処理部２２１１）は、例えば制御部２１０から取得したデータ、制御情報などに対して、ＰＤＣＰレイヤの処理、ＲＬＣレイヤの処理（例えば、ＲＬＣ再送制御）、ＭＡＣレイヤの処理（例えば、ＨＡＲＱ再送制御）などを行い、送信するビット列を生成してもよい。
【０２６８】
送受信部２２０（送信処理部２２１１）は、送信するビット列に対して、チャネル符号化（誤り訂正符号化を含んでもよい）、変調、マッピング、フィルタ処理、ＤＦＴ処理（必要に応じて）、ＩＦＦＴ処理、プリコーディング、デジタル−アナログ変換などの送信処理を行い、ベースバンド信号を出力してもよい。
【０２６９】
なお、ＤＦＴ処理を適用するか否かは、トランスフォームプリコーディングの設定に基づいてもよい。送受信部２２０（送信処理部２２１１）は、あるチャネル（例えば、ＰＵＳＣＨ）について、トランスフォームプリコーディングが有効（enabled）である場合、当該チャネルをＤＦＴ−ｓ−ＯＦＤＭ波形を用いて送信するために上記送信処理としてＤＦＴ処理を行ってもよいし、そうでない場合、上記送信処理としてＤＦＴ処理を行わなくてもよい。
【０２７０】
送受信部２２０（ＲＦ部２２２）は、ベースバンド信号に対して、無線周波数帯への変調、フィルタ処理、増幅などを行い、無線周波数帯の信号を、送受信アンテナ２３０を介して送信してもよい。
【０２７１】
一方、送受信部２２０（ＲＦ部２２２）は、送受信アンテナ２３０によって受信された無線周波数帯の信号に対して、増幅、フィルタ処理、ベースバンド信号への復調などを行ってもよい。
【０２７２】
送受信部２２０（受信処理部２２１２）は、取得されたベースバンド信号に対して、アナログ−デジタル変換、ＦＦＴ処理、ＩＤＦＴ処理（必要に応じて）、フィルタ処理、デマッピング、復調、復号（誤り訂正復号を含んでもよい）、ＭＡＣレイヤ処理、ＲＬＣレイヤの処理及びＰＤＣＰレイヤの処理などの受信処理を適用し、ユーザデータなどを取得してもよい。
【０２７３】
送受信部２２０（測定部２２３）は、受信した信号に関する測定を実施してもよい。例えば、測定部２２３は、受信した信号に基づいて、ＲＲＭ測定、ＣＳＩ測定などを行ってもよい。測定部２２３は、受信電力（例えば、ＲＳＲＰ）、受信品質（例えば、ＲＳＲＱ、ＳＩＮＲ、ＳＮＲ）、信号強度（例えば、ＲＳＳＩ）、伝搬路情報（例えば、ＣＳＩ）などについて測定してもよい。測定結果は、制御部２１０に出力されてもよい。
【０２７４】
なお、本開示におけるユーザ端末２０の送信部及び受信部は、送受信部２２０、送受信アンテナ２３０及び伝送路インターフェース２４０の少なくとも１つによって構成されてもよい。
【０２７５】
なお、送受信部２２０は、コードブック（準静的ＨＡＲＱ−ＡＣＫコードブック）を送信してもよい。送受信部２２０は、ＰＵＣＣＨ又はＰＵＳＣＨを用いて当該コードブックを送信してもよい。
【０２７６】
なお、送受信部２２０は、ＨＡＲＱ−ＡＣＫタイミング値の粒度（時間単位）を示す情報を受信してもよい。当該情報は、システム情報又はＲＲＣパラメータに含まれてもよい。また、送受信部２２０は、ある時間単位内でどの準静的ＨＡＲＱ−ＡＣＫコードブック（例えば、ｅＭＢＢ用ＨＡＲＱ−ＡＣＫコードブック及びＵＲＬＬＣ用ＨＡＲＱコードブックの少なくとも一つ、又は、共通ＨＡＲＱ−ＡＣＫコードブック）をフィードバックするかを示す、上位レイヤシグナリング及びＤＣＩの少なくとも一つを受信してもよい。
【０２７７】
制御部２１０は、スロットよりも短い時間単位を用いたＨＡＲＱ−ＡＣＫタイミング値と、前記時間単位のフォーマットとに基づいて、前記時間単位で利用可能な下り共有チャネルの受信用の一以上の候補機会（候補ＰＤＳＣＨ受信機会）のセットを決定してもよい（第１の態様）。
【０２７８】
制御部２１０は、前記候補機会のセットに基づくコードブックの決定を制御してもよい。
【０２７９】
制御部２１０は、前記スロット内の時間単位毎の時間領域リソース割り当てに基づいて、前記候補機会のセットを決定してもよい。
【０２８０】
制御部２１０は、前記スロット内の各時間領域リソース割り当てに基づいて決定される各候補機会が前記スロット内のどの時間単位に属するかを、前記各候補機会の開始シンボル又は最終シンボルの位置に基づいて決定してもよい（第１の態様）。
【０２８１】
前記時間単位毎の時間領域リソース割り当ては、スロットオフセット値、開始シンボルのインデックス、時間長、マッピングタイプの少なくとも一つと行インデックスとを関連付ける行を含むテーブルで規定されてもよい。
【０２８２】
制御部２１０は、複数のサービス間で同一又は異なる時間単位を用いたＨＡＲＱ−ＡＣＫタイミング値と、前記時間単位のフォーマットとに基づいて、前記時間単位で利用可能な下り共有チャネルの受信用の一以上の候補機会のセットを決定してもよい（第２の態様）。
【０２８３】
制御部２１０は、前記複数のサービス間で同一又は異なる時間領域リソース割り当てに基づいて、前記候補機会のセットを決定してもよい（第２の態様）。
【０２８４】
制御部２１０は、前記複数のサービス間で個別又は共通に前記候補機会のセットを決定してもよい（第２の態様）。
【０２８５】
制御部２１０は、前記候補機会のセットに基づいて、前記複数のサービス間で個別又は共通に前記コードブックを決定してもよい（第２の態様）。
【０２８６】
（ハードウェア構成）
なお、上記実施形態の説明に用いたブロック図は、機能単位のブロックを示している。これらの機能ブロック（構成部）は、ハードウェア及びソフトウェアの少なくとも一方の任意の組み合わせによって実現される。また、各機能ブロックの実現方法は特に限定されない。すなわち、各機能ブロックは、物理的又は論理的に結合した１つの装置を用いて実現されてもよいし、物理的又は論理的に分離した２つ以上の装置を直接的又は間接的に（例えば、有線、無線などを用いて）接続し、これら複数の装置を用いて実現されてもよい。機能ブロックは、上記１つの装置又は上記複数の装置にソフトウェアを組み合わせて実現されてもよい。
【０２８７】
ここで、機能には、判断、決定、判定、計算、算出、処理、導出、調査、探索、確認、受信、送信、出力、アクセス、解決、選択、選定、確立、比較、想定、期待、みなし、報知（broadcasting）、通知（notifying）、通信（communicating）、転送（forwarding）、構成（configuring）、再構成（reconfiguring）、割り当て（allocating、mapping）、割り振り（assigning）などがあるが、これらに限られない。例えば、送信を機能させる機能ブロック（構成部）は、送信部（transmitting  unit）、送信機（transmitter）などと呼称されてもよい。いずれも、上述したとおり、実現方法は特に限定されない。
【０２８８】
例えば、本開示の一実施形態における基地局、ユーザ端末などは、本開示の無線通信方法の処理を行うコンピュータとして機能してもよい。図２６は、一実施形態に係る基地局及びユーザ端末のハードウェア構成の一例を示す図である。上述の基地局１０及びユーザ端末２０は、物理的には、プロセッサ１００１、メモリ１００２、ストレージ１００３、通信装置１００４、入力装置１００５、出力装置１００６、バス１００７などを含むコンピュータ装置として構成されてもよい。
【０２８９】
なお、本開示において、装置、回路、デバイス、部（section）、ユニットなどの文言は、互いに読み替えることができる。基地局１０及びユーザ端末２０のハードウェア構成は、図に示した各装置を１つ又は複数含むように構成されてもよいし、一部の装置を含まずに構成されてもよい。
【０２９０】
例えば、プロセッサ１００１は１つだけ図示されているが、複数のプロセッサがあってもよい。また、処理は、１のプロセッサによって実行されてもよいし、処理が同時に、逐次に、又はその他の手法を用いて、２以上のプロセッサによって実行されてもよい。なお、プロセッサ１００１は、１以上のチップによって実装されてもよい。
【０２９１】
基地局１０及びユーザ端末２０における各機能は、例えば、プロセッサ１００１、メモリ１００２などのハードウェア上に所定のソフトウェア（プログラム）を読み込ませることによって、プロセッサ１００１が演算を行い、通信装置１００４を介する通信を制御したり、メモリ１００２及びストレージ１００３におけるデータの読み出し及び書き込みの少なくとも一方を制御したりすることによって実現される。
【０２９２】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（Central  Processing  Unit（ＣＰＵ））によって構成されてもよい。例えば、上述の制御部１１０（２１０）、送受信部１２０（２２０）などの少なくとも一部は、プロセッサ１００１によって実現されてもよい。
【０２９３】
また、プロセッサ１００１は、プログラム（プログラムコード）、ソフトウェアモジュール、データなどを、ストレージ１００３及び通信装置１００４の少なくとも一方からメモリ１００２に読み出し、これらに従って各種の処理を実行する。プログラムとしては、上述の実施形態において説明した動作の少なくとも一部をコンピュータに実行させるプログラムが用いられる。例えば、制御部１１０（２１０）は、メモリ１００２に格納され、プロセッサ１００１において動作する制御プログラムによって実現されてもよく、他の機能ブロックについても同様に実現されてもよい。
【０２９４】
メモリ１００２は、コンピュータ読み取り可能な記録媒体であり、例えば、Read  Only  Memory（ＲＯＭ）、Erasable  Programmable  ROM（ＥＰＲＯＭ）、Electrically  EPROM（ＥＥＰＲＯＭ）、Random  Access  Memory（ＲＡＭ）、その他の適切な記憶媒体の少なくとも１つによって構成されてもよい。メモリ１００２は、レジスタ、キャッシュ、メインメモリ（主記憶装置）などと呼ばれてもよい。メモリ１００２は、本開示の一実施形態に係る無線通信方法を実施するために実行可能なプログラム（プログラムコード）、ソフトウェアモジュールなどを保存することができる。
【０２９５】
ストレージ１００３は、コンピュータ読み取り可能な記録媒体であり、例えば、フレキシブルディスク、フロッピー（登録商標）ディスク、光磁気ディスク（例えば、コンパクトディスク（Compact  Disc  ROM（ＣＤ−ＲＯＭ）など）、デジタル多用途ディスク、Ｂｌｕ−ｒａｙ（登録商標）ディスク）、リムーバブルディスク、ハードディスクドライブ、スマートカード、フラッシュメモリデバイス（例えば、カード、スティック、キードライブ）、磁気ストライプ、データベース、サーバ、その他の適切な記憶媒体の少なくとも１つによって構成されてもよい。ストレージ１００３は、補助記憶装置と呼ばれてもよい。
【０２９６】
通信装置１００４は、有線ネットワーク及び無線ネットワークの少なくとも一方を介してコンピュータ間の通信を行うためのハードウェア（送受信デバイス）であり、例えばネットワークデバイス、ネットワークコントローラ、ネットワークカード、通信モジュールなどともいう。通信装置１００４は、例えば周波数分割複信（Frequency  Division  Duplex（ＦＤＤ））及び時分割複信（Time  Division  Duplex（ＴＤＤ））の少なくとも一方を実現するために、高周波スイッチ、デュプレクサ、フィルタ、周波数シンセサイザなどを含んで構成されてもよい。例えば、上述の送受信部１２０（２２０）、送受信アンテナ１３０（２３０）などは、通信装置１００４によって実現されてもよい。送受信部１２０（２２０）は、送信部１２０ａ（２２０ａ）と受信部１２０ｂ（２２０ｂ）とで、物理的に又は論理的に分離された実装がなされてもよい。
【０２９７】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、Light  Emitting  Diode（ＬＥＤ）ランプなど）である。なお、入力装置１００５及び出力装置１００６は、一体となった構成（例えば、タッチパネル）であってもよい。
【０２９８】
また、プロセッサ１００１、メモリ１００２などの各装置は、情報を通信するためのバス１００７によって接続される。バス１００７は、単一のバスを用いて構成されてもよいし、装置間ごとに異なるバスを用いて構成されてもよい。
【０２９９】
また、基地局１０及びユーザ端末２０は、マイクロプロセッサ、デジタル信号プロセッサ（Digital  Signal  Processor（ＤＳＰ））、Application  Specific  Integrated  Circuit（ＡＳＩＣ）、Programmable  Logic  Device（ＰＬＤ）、Field  Programmable  Gate  Array（ＦＰＧＡ）などのハードウェアを含んで構成されてもよく、当該ハードウェアを用いて各機能ブロックの一部又は全てが実現されてもよい。例えば、プロセッサ１００１は、これらのハードウェアの少なくとも１つを用いて実装されてもよい。
【０３００】
（変形例）
なお、本開示において説明した用語及び本開示の理解に必要な用語については、同一の又は類似する意味を有する用語と置き換えてもよい。例えば、チャネル、シンボル及び信号（シグナル又はシグナリング）は、互いに読み替えられてもよい。また、信号はメッセージであってもよい。参照信号（reference  signal）は、ＲＳと略称することもでき、適用される標準によってパイロット（Pilot）、パイロット信号などと呼ばれてもよい。また、コンポーネントキャリア（Component  Carrier（ＣＣ））は、セル、周波数キャリア、キャリア周波数などと呼ばれてもよい。
【０３０１】
無線フレームは、時間領域において１つ又は複数の期間（フレーム）によって構成されてもよい。無線フレームを構成する当該１つ又は複数の各期間（フレーム）は、サブフレームと呼ばれてもよい。さらに、サブフレームは、時間領域において１つ又は複数のスロットによって構成されてもよい。サブフレームは、ニューメロロジー（numerology）に依存しない固定の時間長（例えば、１ｍｓ）であってもよい。
【０３０２】
ここで、ニューメロロジーは、ある信号又はチャネルの送信及び受信の少なくとも一方に適用される通信パラメータであってもよい。ニューメロロジーは、例えば、サブキャリア間隔（SubCarrier  Spacing（ＳＣＳ））、帯域幅、シンボル長、サイクリックプレフィックス長、送信時間間隔（Transmission  Time  Interval（ＴＴＩ））、ＴＴＩあたりのシンボル数、無線フレーム構成、送受信機が周波数領域において行う特定のフィルタリング処理、送受信機が時間領域において行う特定のウィンドウイング処理などの少なくとも１つを示してもよい。
【０３０３】
スロットは、時間領域において１つ又は複数のシンボル（Orthogonal  Frequency  Division  Multiplexing（ＯＦＤＭ）シンボル、Single  Carrier  Frequency  Division  Multiple  Access（ＳＣ−ＦＤＭＡ）シンボルなど）によって構成されてもよい。また、スロットは、ニューメロロジーに基づく時間単位であってもよい。
【０３０４】
スロットは、複数のミニスロットを含んでもよい。各ミニスロットは、時間領域において１つ又は複数のシンボルによって構成されてもよい。また、ミニスロットは、サブスロットと呼ばれてもよい。ミニスロットは、スロットよりも少ない数のシンボルによって構成されてもよい。ミニスロットより大きい時間単位で送信されるＰＤＳＣＨ（又はＰＵＳＣＨ）は、ＰＤＳＣＨ（ＰＵＳＣＨ）マッピングタイプＡと呼ばれてもよい。ミニスロットを用いて送信されるＰＤＳＣＨ（又はＰＵＳＣＨ）は、ＰＤＳＣＨ（ＰＵＳＣＨ）マッピングタイプＢと呼ばれてもよい。
【０３０５】
無線フレーム、サブフレーム、スロット、ミニスロット及びシンボルは、いずれも信号を伝送する際の時間単位を表す。無線フレーム、サブフレーム、スロット、ミニスロット及びシンボルは、それぞれに対応する別の呼称が用いられてもよい。なお、本開示におけるフレーム、サブフレーム、スロット、ミニスロット、シンボルなどの時間単位は、互いに読み替えられてもよい。
【０３０６】
例えば、１サブフレームはＴＴＩと呼ばれてもよいし、複数の連続したサブフレームがＴＴＩと呼ばれてよいし、１スロット又は１ミニスロットがＴＴＩと呼ばれてもよい。つまり、サブフレーム及びＴＴＩの少なくとも一方は、既存のＬＴＥにおけるサブフレーム（１ｍｓ）であってもよいし、１ｍｓより短い期間（例えば、１−１３シンボル）であってもよいし、１ｍｓより長い期間であってもよい。なお、ＴＴＩを表す単位は、サブフレームではなくスロット、ミニスロットなどと呼ばれてもよい。
【０３０７】
ここで、ＴＴＩは、例えば、無線通信におけるスケジューリングの最小時間単位のことをいう。例えば、ＬＴＥシステムでは、基地局が各ユーザ端末に対して、無線リソース（各ユーザ端末において使用することが可能な周波数帯域幅、送信電力など）を、ＴＴＩ単位で割り当てるスケジューリングを行う。なお、ＴＴＩの定義はこれに限られない。
【０３０８】
ＴＴＩは、チャネル符号化されたデータパケット（トランスポートブロック）、コードブロック、コードワードなどの送信時間単位であってもよいし、スケジューリング、リンクアダプテーションなどの処理単位となってもよい。なお、ＴＴＩが与えられたとき、実際にトランスポートブロック、コードブロック、コードワードなどがマッピングされる時間区間（例えば、シンボル数）は、当該ＴＴＩよりも短くてもよい。
【０３０９】
なお、１スロット又は１ミニスロットがＴＴＩと呼ばれる場合、１以上のＴＴＩ（すなわち、１以上のスロット又は１以上のミニスロット）が、スケジューリングの最小時間単位となってもよい。また、当該スケジューリングの最小時間単位を構成するスロット数（ミニスロット数）は制御されてもよい。
【０３１０】
１ｍｓの時間長を有するＴＴＩは、通常ＴＴＩ（３ＧＰＰ  Ｒｅｌ．８−１２におけるＴＴＩ）、ノーマルＴＴＩ、ロングＴＴＩ、通常サブフレーム、ノーマルサブフレーム、ロングサブフレーム、スロットなどと呼ばれてもよい。通常ＴＴＩより短いＴＴＩは、短縮ＴＴＩ、ショートＴＴＩ、部分ＴＴＩ（partial又はfractional  TTI）、短縮サブフレーム、ショートサブフレーム、ミニスロット、サブスロット、スロットなどと呼ばれてもよい。
【０３１１】
なお、ロングＴＴＩ（例えば、通常ＴＴＩ、サブフレームなど）は、１ｍｓを超える時間長を有するＴＴＩで読み替えてもよいし、ショートＴＴＩ（例えば、短縮ＴＴＩなど）は、ロングＴＴＩのＴＴＩ長未満かつ１ｍｓ以上のＴＴＩ長を有するＴＴＩで読み替えてもよい。
【０３１２】
リソースブロック（Resource  Block（ＲＢ））は、時間領域及び周波数領域のリソース割当単位であり、周波数領域において、１つ又は複数個の連続した副搬送波（サブキャリア（subcarrier））を含んでもよい。ＲＢに含まれるサブキャリアの数は、ニューメロロジーに関わらず同じであってもよく、例えば１２であってもよい。ＲＢに含まれるサブキャリアの数は、ニューメロロジーに基づいて決定されてもよい。
【０３１３】
また、ＲＢは、時間領域において、１つ又は複数個のシンボルを含んでもよく、１スロット、１ミニスロット、１サブフレーム又は１ＴＴＩの長さであってもよい。１ＴＴＩ、１サブフレームなどは、それぞれ１つ又は複数のリソースブロックによって構成されてもよい。
【０３１４】
なお、１つ又は複数のＲＢは、物理リソースブロック（Physical  RB（ＰＲＢ））、サブキャリアグループ（Sub-Carrier  Group（ＳＣＧ））、リソースエレメントグループ（Resource  Element  Group（ＲＥＧ））、ＰＲＢペア、ＲＢペアなどと呼ばれてもよい。
【０３１５】
また、リソースブロックは、１つ又は複数のリソースエレメント（Resource  Element（ＲＥ））によって構成されてもよい。例えば、１ＲＥは、１サブキャリア及び１シンボルの無線リソース領域であってもよい。
【０３１６】
帯域幅部分（Bandwidth  Part（ＢＷＰ））（部分帯域幅などと呼ばれてもよい）は、あるキャリアにおいて、あるニューメロロジー用の連続する共通ＲＢ（common  resource  blocks）のサブセットのことを表してもよい。ここで、共通ＲＢは、当該キャリアの共通参照ポイントを基準としたＲＢのインデックスによって特定されてもよい。ＰＲＢは、あるＢＷＰで定義され、当該ＢＷＰ内で番号付けされてもよい。
【０３１７】
ＢＷＰには、ＵＬ  ＢＷＰ（ＵＬ用のＢＷＰ）と、ＤＬ  ＢＷＰ（ＤＬ用のＢＷＰ）とが含まれてもよい。ＵＥに対して、１キャリア内に１つ又は複数のＢＷＰが設定されてもよい。
【０３１８】
設定されたＢＷＰの少なくとも１つがアクティブであってもよく、ＵＥは、アクティブなＢＷＰの外で所定の信号／チャネルを送受信することを想定しなくてもよい。なお、本開示における「セル」、「キャリア」などは、「ＢＷＰ」で読み替えられてもよい。
【０３１９】
なお、上述した無線フレーム、サブフレーム、スロット、ミニスロット及びシンボルなどの構造は例示に過ぎない。例えば、無線フレームに含まれるサブフレームの数、サブフレーム又は無線フレームあたりのスロットの数、スロット内に含まれるミニスロットの数、スロット又はミニスロットに含まれるシンボル及びＲＢの数、ＲＢに含まれるサブキャリアの数、並びにＴＴＩ内のシンボル数、シンボル長、サイクリックプレフィックス（Cyclic  Prefix（ＣＰ））長などの構成は、様々に変更することができる。
【０３２０】
また、本開示において説明した情報、パラメータなどは、絶対値を用いて表されてもよいし、所定の値からの相対値を用いて表されてもよいし、対応する別の情報を用いて表されてもよい。例えば、無線リソースは、所定のインデックスによって指示されてもよい。
【０３２１】
本開示においてパラメータなどに使用する名称は、いかなる点においても限定的な名称ではない。さらに、これらのパラメータを使用する数式などは、本開示において明示的に開示したものと異なってもよい。様々なチャネル（ＰＵＣＣＨ、ＰＤＣＣＨなど）及び情報要素は、あらゆる好適な名称によって識別できるので、これらの様々なチャネル及び情報要素に割り当てている様々な名称は、いかなる点においても限定的な名称ではない。
【０３２２】
本開示において説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０３２３】
また、情報、信号などは、上位レイヤから下位レイヤ及び下位レイヤから上位レイヤの少なくとも一方へ出力され得る。情報、信号などは、複数のネットワークノードを介して入出力されてもよい。
【０３２４】
入出力された情報、信号などは、特定の場所（例えば、メモリ）に保存されてもよいし、管理テーブルを用いて管理してもよい。入出力される情報、信号などは、上書き、更新又は追記をされ得る。出力された情報、信号などは、削除されてもよい。入力された情報、信号などは、他の装置へ送信されてもよい。
【０３２５】
情報の通知は、本開示において説明した態様／実施形態に限られず、他の方法を用いて行われてもよい。例えば、本開示における情報の通知は、物理レイヤシグナリング（例えば、下り制御情報（Downlink  Control  Information（ＤＣＩ））、上り制御情報（Uplink  Control  Information（ＵＣＩ）））、上位レイヤシグナリング（例えば、Radio  Resource  Control（ＲＲＣ）シグナリング、ブロードキャスト情報（マスタ情報ブロック（Master  Information  Block（ＭＩＢ））、システム情報ブロック（System  Information  Block（ＳＩＢ））など）、Medium  Access  Control（ＭＡＣ）シグナリング）、その他の信号又はこれらの組み合わせによって実施されてもよい。
【０３２６】
なお、物理レイヤシグナリングは、Layer  1／Layer  2（Ｌ１／Ｌ２）制御情報（Ｌ１／Ｌ２制御信号）、Ｌ１制御情報（Ｌ１制御信号）などと呼ばれてもよい。また、ＲＲＣシグナリングは、ＲＲＣメッセージと呼ばれてもよく、例えば、ＲＲＣ接続セットアップ（RRC  Connection  Setup）メッセージ、ＲＲＣ接続再構成（RRC  Connection  Reconfiguration）メッセージなどであってもよい。また、ＭＡＣシグナリングは、例えば、ＭＡＣ制御要素（ＭＡＣ  Control  Element（ＣＥ））を用いて通知されてもよい。
【０３２７】
また、所定の情報の通知（例えば、「Ｘであること」の通知）は、明示的な通知に限られず、暗示的に（例えば、当該所定の情報の通知を行わないことによって又は別の情報の通知によって）行われてもよい。
【０３２８】
判定は、１ビットで表される値（０か１か）によって行われてもよいし、真（true）又は偽（false）で表される真偽値（boolean）によって行われてもよいし、数値の比較（例えば、所定の値との比較）によって行われてもよい。
【０３２９】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【０３３０】
また、ソフトウェア、命令、情報などは、伝送媒体を介して送受信されてもよい。例えば、ソフトウェアが、有線技術（同軸ケーブル、光ファイバケーブル、ツイストペア、デジタル加入者回線（Digital  Subscriber  Line（ＤＳＬ））など）及び無線技術（赤外線、マイクロ波など）の少なくとも一方を使用してウェブサイト、サーバ、又は他のリモートソースから送信される場合、これらの有線技術及び無線技術の少なくとも一方は、伝送媒体の定義内に含まれる。
【０３３１】
本開示において使用する「システム」及び「ネットワーク」という用語は、互換的に使用され得る。「ネットワーク」は、ネットワークに含まれる装置（例えば、基地局）のことを意味してもよい。
【０３３２】
本開示において、「プリコーディング」、「プリコーダ」、「ウェイト（プリコーディングウェイト）」、「擬似コロケーション（Quasi-Co-Location（ＱＣＬ））」、「Transmission  Configuration  Indication  state（ＴＣＩ状態）」、「空間関係（spatial  relation）」、「空間ドメインフィルタ（spatial  domain  filter）」、「送信電力」、「位相回転」、「アンテナポート」、「アンテナポートグル−プ」、「レイヤ」、「レイヤ数」、「ランク」、「リソース」、「リソースセット」、「リソースグループ」、「ビーム」、「ビーム幅」、「ビーム角度」、「アンテナ」、「アンテナ素子」、「パネル」などの用語は、互換的に使用され得る。
【０３３３】
本開示においては、「基地局（Base  Station（ＢＳ））」、「無線基地局」、「固定局（fixed  station）」、「ＮｏｄｅＢ」、「ｅＮＢ（ｅＮｏｄｅＢ）」、「ｇＮＢ（ｇＮｏｄｅＢ）」、「アクセスポイント（access  point）」、「送信ポイント（Transmission  Point（ＴＰ））」、「受信ポイント（Reception  Point（ＲＰ））」、「送受信ポイント（Transmission/Reception  Point（ＴＲＰ））」、「パネル」、「セル」、「セクタ」、「セルグループ」、「キャリア」、「コンポーネントキャリア」などの用語は、互換的に使用され得る。基地局は、マクロセル、スモールセル、フェムトセル、ピコセルなどの用語で呼ばれる場合もある。
【０３３４】
基地局は、１つ又は複数（例えば、３つ）のセルを収容することができる。基地局が複数のセルを収容する場合、基地局のカバレッジエリア全体は複数のより小さいエリアに区分でき、各々のより小さいエリアは、基地局サブシステム（例えば、屋内用の小型基地局（Remote  Radio  Head（ＲＲＨ）））によって通信サービスを提供することもできる。「セル」又は「セクタ」という用語は、このカバレッジにおいて通信サービスを行う基地局及び基地局サブシステムの少なくとも一方のカバレッジエリアの一部又は全体を指す。
【０３３５】
本開示においては、「移動局（Mobile  Station（ＭＳ））」、「ユーザ端末（user  terminal）」、「ユーザ装置（User  Equipment（ＵＥ））」、「端末」などの用語は、互換的に使用され得る。
【０３３６】
移動局は、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント又はいくつかの他の適切な用語で呼ばれる場合もある。
【０３３７】
基地局及び移動局の少なくとも一方は、送信装置、受信装置、無線通信装置などと呼ばれてもよい。なお、基地局及び移動局の少なくとも一方は、移動体に搭載されたデバイス、移動体自体などであってもよい。当該移動体は、乗り物（例えば、車、飛行機など）であってもよいし、無人で動く移動体（例えば、ドローン、自動運転車など）であってもよいし、ロボット（有人型又は無人型）であってもよい。なお、基地局及び移動局の少なくとも一方は、必ずしも通信動作時に移動しない装置も含む。例えば、基地局及び移動局の少なくとも一方は、センサなどのInternet  of  Things（ＩｏＴ）機器であってもよい。
【０３３８】
また、本開示における基地局は、ユーザ端末で読み替えてもよい。例えば、基地局及びユーザ端末間の通信を、複数のユーザ端末間の通信（例えば、Device-to-Device（Ｄ２Ｄ）、Vehicle-to-Everything（Ｖ２Ｘ）などと呼ばれてもよい）に置き換えた構成について、本開示の各態様／実施形態を適用してもよい。この場合、上述の基地局１０が有する機能をユーザ端末２０が有する構成としてもよい。また、「上り」、「下り」などの文言は、端末間通信に対応する文言（例えば、「サイド（side）」）で読み替えられてもよい。例えば、上りチャネル、下りチャネルなどは、サイドチャネルで読み替えられてもよい。
【０３３９】
同様に、本開示におけるユーザ端末は、基地局で読み替えてもよい。この場合、上述のユーザ端末２０が有する機能を基地局１０が有する構成としてもよい。
【０３４０】
本開示において、基地局によって行われるとした動作は、場合によってはその上位ノード（upper  node）によって行われることもある。基地局を有する１つ又は複数のネットワークノード（network  nodes）を含むネットワークにおいて、端末との通信のために行われる様々な動作は、基地局、基地局以外の１つ以上のネットワークノード（例えば、Mobility  Management  Entity（ＭＭＥ）、Serving-Gateway（Ｓ−ＧＷ）などが考えられるが、これらに限られない）又はこれらの組み合わせによって行われ得ることは明らかである。
【０３４１】
本開示において説明した各態様／実施形態は単独で用いてもよいし、組み合わせて用いてもよいし、実行に伴って切り替えて用いてもよい。また、本開示において説明した各態様／実施形態の処理手順、シーケンス、フローチャートなどは、矛盾の無い限り、順序を入れ替えてもよい。例えば、本開示において説明した方法については、例示的な順序を用いて様々なステップの要素を提示しており、提示した特定の順序に限定されない。
【０３４２】
本開示において説明した各態様／実施形態は、Long  Term  Evolution（ＬＴＥ）、LTE-Advanced（ＬＴＥ−Ａ）、LTE-Beyond（ＬＴＥ−Ｂ）、ＳＵＰＥＲ  ３Ｇ、ＩＭＴ−Ａｄｖａｎｃｅｄ、4th  generation  mobile  communication  system（４Ｇ）、5th  generation  mobile  communication  system（５Ｇ）、Future  Radio  Access（ＦＲＡ）、Ｎｅｗ−Radio  Access  Technology（ＲＡＴ）、New  Radio（ＮＲ）、New  radio  access（ＮＸ）、Future  generation  radio  access（ＦＸ）、Global  System  for  Mobile  communications（ＧＳＭ（登録商標））、ＣＤＭＡ２０００、Ultra  Mobile  Broadband（ＵＭＢ）、ＩＥＥＥ  ８０２．１１（Ｗｉ−Ｆｉ（登録商標））、ＩＥＥＥ  ８０２．１６（ＷｉＭＡＸ（登録商標））、ＩＥＥＥ  ８０２．２０、Ultra-WideBand（ＵＷＢ）、Ｂｌｕｅｔｏｏｔｈ（登録商標）、その他の適切な無線通信方法を利用するシステム、これらに基づいて拡張された次世代システムなどに適用されてもよい。また、複数のシステムが組み合わされて（例えば、ＬＴＥ又はＬＴＥ−Ａと、５Ｇとの組み合わせなど）適用されてもよい。
【０３４３】
本開示において使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０３４４】
本開示において使用する「第１の」、「第２の」などの呼称を使用した要素へのいかなる参照も、それらの要素の量又は順序を全般的に限定しない。これらの呼称は、２つ以上の要素間を区別する便利な方法として本開示において使用され得る。したがって、第１及び第２の要素の参照は、２つの要素のみが採用され得ること又は何らかの形で第１の要素が第２の要素に先行しなければならないことを意味しない。
【０３４５】
本開示において使用する「判断（決定）（determining）」という用語は、多種多様な動作を包含する場合がある。例えば、「判断（決定）」は、判定（judging）、計算（calculating）、算出（computing）、処理（processing）、導出（deriving）、調査（investigating）、探索（looking  up、search、inquiry）（例えば、テーブル、データベース又は別のデータ構造での探索）、確認（ascertaining）などを「判断（決定）」することであるとみなされてもよい。
【０３４６】
また、「判断（決定）」は、受信（receiving）（例えば、情報を受信すること）、送信（transmitting）（例えば、情報を送信すること）、入力（input）、出力（output）、アクセス（accessing）（例えば、メモリ中のデータにアクセスすること）などを「判断（決定）」することであるとみなされてもよい。
【０３４７】
また、「判断（決定）」は、解決（resolving）、選択（selecting）、選定（choosing）、確立（establishing）、比較（comparing）などを「判断（決定）」することであるとみなされてもよい。つまり、「判断（決定）」は、何らかの動作を「判断（決定）」することであるとみなされてもよい。
【０３４８】
また、「判断（決定）」は、「想定する（assuming）」、「期待する（expecting）」、「みなす（considering）」などで読み替えられてもよい。
【０３４９】
本開示に記載の「最大送信電力」は送信電力の最大値を意味してもよいし、公称最大送信電力（the  nominal  UE  maximum  transmit  power）を意味してもよいし、定格最大送信電力（the  rated  UE  maximum  transmit  power）を意味してもよい。
【０３５０】
本開示において使用する「接続された（connected）」、「結合された（coupled）」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的であっても、論理的であっても、あるいはこれらの組み合わせであってもよい。例えば、「接続」は「アクセス」で読み替えられてもよい。
【０３５１】
本開示において、２つの要素が接続される場合、１つ以上の電線、ケーブル、プリント電気接続などを用いて、並びにいくつかの非限定的かつ非包括的な例として、無線周波数領域、マイクロ波領域、光（可視及び不可視の両方）領域の波長を有する電磁エネルギーなどを用いて、互いに「接続」又は「結合」されると考えることができる。
【０３５２】
本開示において、「ＡとＢが異なる」という用語は、「ＡとＢが互いに異なる」ことを意味してもよい。なお、当該用語は、「ＡとＢがそれぞれＣと異なる」ことを意味してもよい。「離れる」、「結合される」などの用語も、「異なる」と同様に解釈されてもよい。
【０３５３】
本開示において、「含む（include）」、「含んでいる（including）」及びこれらの変形が使用されている場合、これらの用語は、用語「備える（comprising）」と同様に、包括的であることが意図される。さらに、本開示において使用されている用語「又は（or）」は、排他的論理和ではないことが意図される。
【０３５４】
本開示において、例えば、英語でのa,  an及びtheのように、翻訳によって冠詞が追加された場合、本開示は、これらの冠詞の後に続く名詞が複数形であることを含んでもよい。
【０３５５】
以上、本開示に係る発明について詳細に説明したが、当業者にとっては、本開示に係る発明が本開示中に説明した実施形態に限定されないということは明らかである。本開示に係る発明は、請求の範囲の記載に基づいて定まる発明の趣旨及び範囲を逸脱することなく修正及び変更態様として実施することができる。したがって、本開示の記載は、例示説明を目的とし、本開示に係る発明に対して何ら制限的な意味をもたらさない。
【図１】
2020144833.tif 000003
【図２】
2020144833.tif 000004
【図３】
2020144833.tif 000005
【図４】
2020144833.tif 000006
【図５】
2020144833.tif 000007
【図６】
2020144833.tif 000008
【図７】
2020144833.tif 000009
【図８】
2020144833.tif 000010
【図９】
2020144833.tif 000011
【図１０】
2020144833.tif 000012
【図１１】
2020144833.tif 000013
【図１２】
2020144833.tif 000014
【図１３】
2020144833.tif 000015
【図１４】
2020144833.tif 000016
【図１５】
2020144833.tif 000017
【図１６】
2020144833.tif 000018
【図１７】
2020144833.tif 000019
【図１８】
2020144833.tif 000020
【図１９】
2020144833.tif 000021
【図２０】
2020144833.tif 000022
【図２１】
2020144833.tif 000023
【図２２】
2020144833.tif 000024
【図２３】
2020144833.tif 000025
【図２４】
2020144833.tif 000026
【図２５】
2020144833.tif 000027
【図２６】
2020144833.tif 000028
【国際調査報告】
2020144833.tif 000029
2020144833.tif 000030
2020144833.tif 000031